(57)【要約】【課題】コンテンツのダイジェストを容易に視聴できるようにする。【解決手段】ブックマーク端末装置１４は、コンテンツホルダ１１からコンテンツを取得し、記録媒体６２に記録するとともに、取得したコンテンツのダイジェストに関するダイジェストブックマークを生成する。ユーザ端末装置１５は、コンテンツホルダ１１からコンテンツを取得し、記録媒体８２に記録するとともに、ブックマーク端末装置１４に記録されているダイジェストブックマークを取得する。ユーザ端末装置１５は、取得したコンテンツとダイジェストブックマークに基づいて、ダイジェストコンテンツを生成し、再生する。これにより、ユーザ端末装置１５は、コンテンツのダイジェストを容易に視聴することができる。本発明は、ハードディスクレコーダに適用することができる。【選択図】      図１
2004274287.tif 000002
【特許請求の範囲】
【請求項１】
コンテンツに関するダイジェストブックマークを生成する第１の情報処理装置、および、前記第１の情報処理装置から前記ダイジェストブックマークを受信する第２の情報処理装置からなる情報処理システムにおいて、
前記第１の情報処理装置は、
前記コンテンツに基づいて、前記コンテンツのダイジェストに対応する前記ダイジェストブックマークを生成し、
前記ダイジェストブックマークを、前記第２の情報処理装置に送信し、
前記第２の情報処理装置は、
前記第１の情報処理装置から前記ダイジェストブックマークを受信し、
前記ダイジェストブックマークに対応する、あらかじめ記録されている前記コンテンツを読み出し、
前記ダイジェストブックマークと前記コンテンツに基づいて、ダイジェストコンテンツを再生する
ことを特徴とする情報処理システム。
【請求項２】
前記ダイジェストブックマークには、前記コンテンツのチャンネル、シーン開始時刻、およびシーン終了時刻が含まれる
ことを特徴とする請求項１に記載の情報処理システム。
【請求項３】
前記第１の情報処理装置は、前記コンテンツが新たに記録されたとき、または、ユーザの指令に基づいて、前記ダイジェストブックマークを生成する
ことを特徴とする請求項１に記載の情報処理システム。
【請求項４】
前記第１の情報処理装置は、
前記ダイジェストブックマークに、ユーセージルールをさらに書き込み、
前記ユーセージルールが書き込まれた前記ダイジェストブックマークを、前記第２の情報処理装置に送信する
ことを特徴とする請求項１に記載の情報処理システム。
【請求項５】
前記第１の情報処理装置と前記第２の情報処理装置の間に、第３の情報処理装置をさらに備え、
前記第１の情報処理装置は、前記ダイジェストブックマークを前記第３の情報処理装置に送信し、
前記第３の情報処理装置は、
前記第１の情報処理装置から前記ダイジェストブックマークを受信し、
受信した前記ダイジェストブックマークを記録し、
前記第２の情報処理装置は、前記第３の情報処理装置から前記ダイジェストブックマークを受信する
ことを特徴とする請求項１に記載の情報処理システム。
【請求項６】
コンテンツに関するダイジェストブックマークを生成する第１の情報処理装置、および、前記第１の情報処理装置から前記ダイジェストブックマークを受信する第２の情報処理装置からなる情報処理システムの情報処理方法において、
前記第１の情報処理装置は、
前記コンテンツに基づいて、前記コンテンツのダイジェストに対応する前記ダイジェストブックマークを生成し、
前記ダイジェストブックマークを、ネットワークを介して前記第２の情報処理装置に送信し、
前記第２の情報処理装置は、
前記ネットワークを介して、前記第１の情報処理装置から前記ダイジェストブックマークを受信し、
前記ダイジェストブックマークに対応する、あらかじめ記録されている前記コンテンツを読み出し、
前記ダイジェストブックマークと前記コンテンツに基づいて、ダイジェストコンテンツを再生する
ことを特徴とする情報処理方法。
【請求項７】
コンテンツに関するダイジェストブックマークを生成する情報処理装置において、
前記コンテンツに基づいて、前記コンテンツのダイジェストに対応する前記ダイジェストブックマークを生成する生成手段と、
前記生成手段により生成された前記ダイジェストブックマークを、ネットワークを介して、他の情報処理装置に送信する送信手段と
を備えることを特徴とする情報処理装置。
【請求項８】
前記生成手段により生成される前記ダイジェストブックマークには、前記コンテンツのチャンネル、シーン開始時刻、およびシーン終了時刻が含まれる
ことを特徴とする請求項７に記載の情報処理装置。
【請求項９】
前記生成手段は、前記コンテンツが新たに記録されたとき、または、ユーザの指令に基づいて、前記ダイジェストブックマークを生成する
ことを特徴とする請求項７に記載の情報処理装置。
【請求項１０】
前記生成手段により生成された前記ダイジェストブックマークにユーセージルールを書き込む書き込み手段をさらに備え、
前記送信手段は、前記書き込み手段により前記ユーセージルールが書き込まれた前記ダイジェストブックマークを前記他の情報処理装置に送信する
ことを特徴とする請求項７に記載の情報処理装置。
【請求項１１】
コンテンツに関するダイジェストブックマークを生成する情報処理装置の情報処理処理方法において、
前記コンテンツに基づいて、前記コンテンツのダイジェストに対応する前記ダイジェストブックマークを生成する生成ステップと、
前記生成ステップの処理により生成された前記ダイジェストブックマークを、ネットワークを介して、他の情報処理装置に送信する送信ステップと
を含むことを特徴とする情報処理方法。
【請求項１２】
コンテンツに関するダイジェストブックマークを生成するプログラムであって、
前記コンテンツに基づいて、前記コンテンツのダイジェストに対応する前記ダイジェストブックマークを生成する生成ステップと、
前記生成ステップの処理により生成された前記ダイジェストブックマークを、ネットワークを介して、他の情報処理装置に送信する送信ステップと
を含むことを特徴とするコンピュータが読み取り可能なプログラムが記録されている記録媒体。
【請求項１３】
コンテンツに関するダイジェストブックマークを生成するプログラムであって、
前記コンテンツに基づいて、前記コンテンツのダイジェストに対応する前記ダイジェストブックマークを生成する生成ステップと、
前記生成ステップの処理により生成された前記ダイジェストブックマークを、ネットワークを介して、他の情報処理装置に送信する送信ステップと
を含む処理をコンピュータに実行させることを特徴とするプログラム。
【請求項１４】
他の情報処理装置からダイジェストブックマークを受信する情報処理装置において、
前記他の情報処理装置からコンテンツのダイジェストに関する前記ダイジェストブックマークを受信する受信手段と、
前記受信手段により受信された前記ダイジェストブックマークに対応する、あらかじめ記録されている前記コンテンツを取得し、前記ダイジェストブックマークと取得した前記コンテンツに基づいて、ダイジェストコンテンツを生成する生成手段と、
前記生成手段により生成された前記ダイジェストコンテンツを出力する出力手段と
を備えることを特徴とする情報処理装置。
【請求項１５】
前記ダイジェストブックマークには、前記コンテンツのチャンネル、シーン開始時刻、およびシーン終了時刻が含まれる
ことを特徴とする請求項１４に記載の情報処理装置。
【請求項１６】
前記コンテンツを記録する記録手段をさらに備え、
前記生成手段は、前記受信手段により受信された前記ダイジェストブックマークに対応する前記コンテンツが、前記記録手段に記録されているか否かを判定し、前記ダイジェストブックマークに対応する前記コンテンツが前記記録手段に記録されていたとき、前記ダイジェストコンテンツを生成する
ことを特徴とする請求項１４に記載の情報処理装置。
【請求項１７】
前記ダイジェストブックマークに含まれるユーセージルールに基づいて、前記ダイジェストコンテンツの生成を制御する制御手段を
さらに備えることを特徴とする請求項１４に記載の情報処理装置。
【請求項１８】
他の情報処理装置からダイジェストブックマークを受信する情報処理装置の情報処理方法において、
前記他の情報処理装置からコンテンツのダイジェストに関する前記ダイジェストブックマークを受信する受信ステップと、
前記受信ステップの処理により受信された前記ダイジェストブックマークに対応する、あらかじめ記録されている前記コンテンツを取得する取得ステップと、
前記取得ステップの処理により取得された前記コンテンツと、前記受信ステップの処理により受信された前記ダイジェストブックマークに基づいて、ダイジェストコンテンツを生成する生成ステップと、
前記生成ステップの処理により生成された前記ダイジェストコンテンツを出力する出力ステップと
を含むことを特徴とする情報処理方法。
【請求項１９】
他の情報処理装置からダイジェストブックマークを受信するプログラムであって、
前記他の情報処理装置からコンテンツのダイジェストに関する前記ダイジェストブックマークを受信する受信ステップと、
前記受信ステップの処理により受信された前記ダイジェストブックマークに対応する、あらかじめ記録されている前記コンテンツを取得する取得ステップと、
前記取得ステップの処理により取得された前記コンテンツと、前記受信ステップの処理により受信された前記ダイジェストブックマークに基づいて、ダイジェストコンテンツを生成する生成ステップと、
前記生成ステップの処理により生成された前記ダイジェストコンテンツを出力する出力ステップと
を含むことを特徴とするコンピュータが読み取り可能なプログラムが記録されている記録媒体。
【請求項２０】
他の情報処理装置からダイジェストブックマークを受信するプログラムであって、
前記他の情報処理装置からコンテンツのダイジェストに関する前記ダイジェストブックマークを受信する受信ステップと、
前記受信ステップの処理により受信された前記ダイジェストブックマークに対応する、あらかじめ記録されている前記コンテンツを取得する取得ステップと、
前記取得ステップの処理により取得された前記コンテンツと、前記受信ステップの処理により受信された前記ダイジェストブックマークに基づいて、ダイジェストコンテンツを生成する生成ステップと、
前記生成ステップの処理により生成された前記ダイジェストコンテンツを出力する出力ステップと
を含む処理をコンピュータに実行させることを特徴とするプログラム。
【請求項２１】
情報を処理する情報処理装置において、
第１の他の情報処理装置から、コンテンツに関するダイジェストブックマークを受信する受信手段と、
前記受信手段により受信された前記ダイジェストブックマークを記録する記録手段と、
前記記録手段により記録された前記ダイジェストブックマークを、第２の他の情報処理装置に送信する送信手段と
を備えることを特徴とする情報処理装置。
【請求項２２】
情報を処理する情報処理装置の情報処理方法において、
第１の他の情報処理装置から、コンテンツに関するダイジェストブックマークを受信する受信ステップと、
前記受信ステップの処理により受信された前記ダイジェストブックマークを記録する記録ステップと、
前記記録ステップの処理により記録された前記ダイジェストブックマークを、第２の他の情報処理装置に送信する送信ステップと
を含むことを特徴とする情報処理方法。
【請求項２３】
情報を処理する情報処理装置のプログラムであって、
第１の他の情報処理装置から、コンテンツに関するダイジェストブックマークを受信する受信ステップと、
前記受信ステップの処理により受信された前記ダイジェストブックマークを記録する記録ステップと、
前記記録ステップの処理により記録された前記ダイジェストブックマークを、第２の他の情報処理装置に送信する送信ステップと
を含むことを特徴とするコンピュータが読み取り可能なプログラムが記録されている記録媒体。
【請求項２４】
情報を処理する情報処理装置のプログラムであって、
第１の他の情報処理装置から、コンテンツに関するダイジェストブックマークを受信する受信ステップと、
前記受信ステップの処理により受信された前記ダイジェストブックマークを記録する記録ステップと、
前記記録ステップの処理により記録された前記ダイジェストブックマークを、第２の他の情報処理装置に送信する送信ステップと
を含む処理をコンピュータに実行させることを特徴とするプログラム。
【発明の詳細な説明】
【０００１】
【発明の属する技術分野】
本発明は、情報処理システムおよび方法、情報処理装置および方法、記録媒体、並びにプログラムに関し、特に、コンテンツのダイジェストを容易に視聴できるようにした情報処理システムおよび方法、情報処理装置および方法、記録媒体、並びにプログラムに関する。
【０００２】
【従来の技術】
近年、デジタル衛星放送等により、ユーザが数多くのコンテンツを取得できるようになってきた。
【０００３】
また、ハードディスクレコーダのように、大量のコンテンツを記録できる記録媒体も販売されている。
【０００４】
しかしながら、これに伴って、ユーザが保有するコンテンツも増大し、時間が足りないため、記録した全てのコンテンツを見ることができないという課題があった。
【０００５】
そこで、コンテンツのうち、ユーザが興味のある部分や面白い部分だけをダイジェストにして見ることができれば、ユーザが多くのコンテンツを見ることができるようになる。
【０００６】
例えば、特許文献１には、デジタル放送方式として、コンテンツのダイジェスト番組を含む映像信号と、放送する番組情報を多重化して放送する方法が提案されている。
【０００７】
【特許文献１】
特開２００２−３４４８５８号公報
【０００８】
【発明が解決しようとする課題】
しかしながら、特許文献１に記載の方法では、番組を提供する側（放送する側）が、コンテンツのダイジェスト番組を生成するだけなので、ユーザに、より多くのダイジェスト番組を提供することが困難であるという課題があった。
【０００９】
本発明はこのような状況に鑑みてなされたものであり、より多くのダイジェストをユーザが視聴できるようにするものである。
【００１０】
【課題を解決するための手段】
本発明の情報処理システムは、コンテンツに関するダイジェストブックマークを生成する第１の情報処理装置、および、第１の情報処理装置からダイジェストブックマークを受信する第２の情報処理装置からなる情報処理システムであって、第１の情報処理装置は、コンテンツに基づいて、コンテンツのダイジェストに対応するダイジェストブックマークを生成し、ダイジェストブックマークを、第２の情報処理装置に送信し、第２の情報処理装置は、第１の情報処理装置からダイジェストブックマークを受信し、ダイジェストブックマークに対応する、あらかじめ記録されているコンテンツを読み出し、ダイジェストブックマークとコンテンツに基づいて、ダイジェストコンテンツを再生することを特徴とする。
【００１１】
前記ダイジェストブックマークには、コンテンツのチャンネル、シーン開始時刻、およびシーン終了時刻が含まれるようにすることができる。
【００１２】
前記第１の情報処理装置は、コンテンツが新たに記録されたとき、または、ユーザの指令に基づいて、ダイジェストブックマークを生成するようにすることができる。
【００１３】
前記第１の情報処理装置は、ダイジェストブックマークに、ユーセージルールをさらに書き込み、ユーセージルールが書き込まれたダイジェストブックマークを、第２の情報処理装置に送信するようにすることができる。
【００１４】
前記第１の情報処理装置と第２の情報処理装置の間に、第３の情報処理装置をさらに備え、第１の情報処理装置は、ダイジェストブックマークを第３の情報処理装置に送信し、第３の情報処理装置は、第１の情報処理装置からダイジェストブックマークを受信し、受信したダイジェストブックマークを記録し、第２の情報処理装置は、第３の情報処理装置からダイジェストブックマークを受信するようにすることができる。
【００１５】
本発明の第１の情報処理方法は、コンテンツに関するダイジェストブックマークを生成する第１の情報処理装置、および、第１の情報処理装置からダイジェストブックマークを受信する第２の情報処理装置からなる情報処理システムの情報処理方法であって、第１の情報処理装置は、コンテンツに基づいて、コンテンツのダイジェストに対応するダイジェストブックマークを生成し、ダイジェストブックマークを、ネットワークを介して第２の情報処理装置に送信し、第２の情報処理装置は、ネットワークを介して、第１の情報処理装置からダイジェストブックマークを受信し、ダイジェストブックマークに対応する、あらかじめ記録されているコンテンツを読み出し、ダイジェストブックマークとコンテンツに基づいて、ダイジェストコンテンツを再生することを特徴とする。
【００１６】
本発明の第１の情報処理装置は、コンテンツに基づいて、コンテンツのダイジェストに対応するダイジェストブックマークを生成する生成手段と、生成手段により生成されたダイジェストブックマークを、ネットワークを介して、他の情報処理装置に送信する送信手段とを備えることを特徴とする。
【００１７】
前記生成手段により生成されるダイジェストブックマークには、コンテンツのチャンネル、シーン開始時刻、およびシーン終了時刻が含まれるようにすることができる。
【００１８】
前記生成手段は、コンテンツが新たに記録されたとき、または、ユーザの指令に基づいて、ダイジェストブックマークを生成するようにすることができる。
【００１９】
前記生成手段により生成されたダイジェストブックマークにユーセージルールを書き込む書き込み手段をさらに備え、送信手段は、書き込み手段によりユーセージルールが書き込まれたダイジェストブックマークを他の情報処理装置に送信するようにすることができる。
【００２０】
本発明の第２の情報処理処理方法は、コンテンツに基づいて、コンテンツのダイジェストに対応するダイジェストブックマークを生成する生成ステップと、生成ステップの処理により生成されたダイジェストブックマークを、ネットワークを介して、他の情報処理装置に送信する送信ステップとを含むことを特徴とする。
【００２１】
本発明の第１の記録媒体に記録されているプログラムは、コンテンツに基づいて、コンテンツのダイジェストに対応するダイジェストブックマークを生成する生成ステップと、生成ステップの処理により生成されたダイジェストブックマークを、ネットワークを介して、他の情報処理装置に送信する送信ステップとを含むことを特徴とする。
【００２２】
本発明の第１のプログラムは、コンテンツに基づいて、コンテンツのダイジェストに対応するダイジェストブックマークを生成する生成ステップと、生成ステップの処理により生成されたダイジェストブックマークを、ネットワークを介して、他の情報処理装置に送信する送信ステップとを含む処理をコンピュータに実行させることを特徴とする。
【００２３】
本発明の第２の情報処理装置は、他の情報処理装置からコンテンツのダイジェストに関するダイジェストブックマークを受信する受信手段と、受信手段により受信されたダイジェストブックマークに対応する、あらかじめ記録されているコンテンツを取得し、ダイジェストブックマークと取得したコンテンツに基づいて、ダイジェストコンテンツを生成する生成手段と、生成手段により生成されたダイジェストコンテンツを出力する出力手段とを備えることを特徴とする。
【００２４】
前記ダイジェストブックマークには、コンテンツのチャンネル、シーン開始時刻、およびシーン終了時刻が含まれるようにすることができる。
【００２５】
前記コンテンツを記録する記録手段をさらに備え、生成手段は、受信手段により受信されたダイジェストブックマークに対応するコンテンツが、記録手段に記録されているか否かを判定し、ダイジェストブックマークに対応するコンテンツが記録手段に記録されていたとき、ダイジェストコンテンツを生成するようにすることができる。
【００２６】
前記ダイジェストブックマークに含まれるユーセージルールに基づいて、ダイジェストコンテンツの生成を制御する制御手段をさらに備えるようにすることができる。
【００２７】
本発明の第３の情報処理方法は、他の情報処理装置からコンテンツのダイジェストに関するダイジェストブックマークを受信する受信ステップと、受信ステップの処理により受信されたダイジェストブックマークに対応する、あらかじめ記録されているコンテンツを取得する取得ステップと、取得ステップの処理により取得されたコンテンツと、受信ステップの処理により受信されたダイジェストブックマークに基づいて、ダイジェストコンテンツを生成する生成ステップと、生成ステップの処理により生成されたダイジェストコンテンツを出力する出力ステップとを含むことを特徴とする。
【００２８】
本発明の第２の記録媒体に記録されているプログラムは、他の情報処理装置からコンテンツのダイジェストに関するダイジェストブックマークを受信する受信ステップと、受信ステップの処理により受信されたダイジェストブックマークに対応する、あらかじめ記録されているコンテンツを取得する取得ステップと、取得ステップの処理により取得されたコンテンツと、受信ステップの処理により受信されたダイジェストブックマークに基づいて、ダイジェストコンテンツを生成する生成ステップと、生成ステップの処理により生成されたダイジェストコンテンツを出力する出力ステップとを含むことを特徴とする。
【００２９】
本発明の第２のプログラムは、他の情報処理装置からコンテンツのダイジェストに関するダイジェストブックマークを受信する受信ステップと、受信ステップの処理により受信されたダイジェストブックマークに対応する、あらかじめ記録されているコンテンツを取得する取得ステップと、取得ステップの処理により取得されたコンテンツと、受信ステップの処理により受信されたダイジェストブックマークに基づいて、ダイジェストコンテンツを生成する生成ステップと、生成ステップの処理により生成されたダイジェストコンテンツを出力する出力ステップとを含む処理をコンピュータに実行させることを特徴とする。
【００３０】
本発明の第３の情報処理装置は、第１の他の情報処理装置から、コンテンツに関するダイジェストブックマークを受信する受信手段と、受信手段により受信されたダイジェストブックマークを記録する記録手段と、記録手段により記録されたダイジェストブックマークを、第２の他の情報処理装置に送信する送信手段とを備えることを特徴とする。
【００３１】
本発明の第４の情報処理方法は、第１の他の情報処理装置から、コンテンツに関するダイジェストブックマークを受信する受信ステップと、受信ステップの処理により受信されたダイジェストブックマークを記録する記録ステップと、記録ステップの処理により記録されたダイジェストブックマークを、第２の他の情報処理装置に送信する送信ステップとを含むことを特徴とする。
【００３２】
本発明の第３の記録媒体に記録されているプログラムは、第１の他の情報処理装置から、コンテンツに関するダイジェストブックマークを受信する受信ステップと、受信ステップの処理により受信されたダイジェストブックマークを記録する記録ステップと、記録ステップの処理により記録されたダイジェストブックマークを、第２の他の情報処理装置に送信する送信ステップとを含むことを特徴とする。
【００３３】
本発明の第３のプログラムは、第１の他の情報処理装置から、コンテンツに関するダイジェストブックマークを受信する受信ステップと、受信ステップの処理により受信されたダイジェストブックマークを記録する記録ステップと、記録ステップの処理により記録されたダイジェストブックマークを、第２の他の情報処理装置に送信する送信ステップとを含む処理をコンピュータに実行させることを特徴とする。
【００３４】
本発明の情報処理システムおよび第１の情報処理方法においては、第１の情報処理装置で、コンテンツに基づいて、コンテンツのダイジェストに対応するダイジェストブックマークが生成され、第２の情報処理装置に送信され、第２の情報処理装置で、ダイジェストブックマークが受信され、ダイジェストブックマークに対応する、あらかじめ記録されているコンテンツが読み出され、ダイジェストコンテンツが再生される。
【００３５】
本発明の第１の情報処理装置および第２の情報処理方法、第１の記録媒体、並びに第１のプログラムにおいては、コンテンツに基づいて、コンテンツのダイジェストに対応するダイジェストブックマークが生成され、生成されたダイジェストブックマークが、ネットワークを介して、他の情報処理装置に送信される。
【００３６】
本発明の第２の情報処理装置および第３の情報処理方法、第２の記録媒体、並びに第２のプログラムにおいては、コンテンツのダイジェストに関するダイジェストブックマークが受信され、受信されたダイジェストブックマークに対応する、あらかじめ記録されているコンテンツが取得され、これらに基づいて、ダイジェストコンテンツが生成され、出力される。
【００３７】
本発明の第３の情報処理装置および第４の情報処理方法、第３の記録媒体、並びに第３のプログラムにおいては、第１の他の情報処理装置から、コンテンツに関するダイジェストブックマークが受信され、記録され、記録されたダイジェストブックマークが、第２の他の情報処理装置に送信される。
【００３８】
【発明の実施の形態】
以下に、本発明の実施の形態について図面を参照して説明する。
【００３９】
図１は、本発明を適用した情報処理システムの全体の構成例を示す図である。
【００４０】
コンテンツホルダ１１は、テレビジョン番組、動画データ等のコンテンツを提供するコンテンツ提供者とされ、図１の例の場合、メディア作成業者３１、放送局３２、およびネット放送局３３が含まれる。
【００４１】
メディア作成業者３１は、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等のパッケージメディア４１を作成し、作成したパッケージメディア４１を、郵便、宅配便等の物流網１２を介して、ブックマーク端末装置１４、またはユーザ端末装置１５に供給する。
【００４２】
放送局３２は、テレビジョン放送、ＣＡＴＶ（Ｃａｂｌｅ  Ｔｅｌｅｖｉｓｉｏｎ）網、衛星放送、地上波放送、その他の伝送媒体を介して番組（コンテンツ）の放送を行なう。放送された番組は、ブックマーク端末装置１４およびユーザ端末装置１５に受信される。
【００４３】
ネット放送局３３は、インターネット等のネットワーク１３を介して、ＭＰＥＧ（Ｍｏｖｉｎｇ  Ｐｉｃｔｕｒｅ  Ｅｘｐｅｒｔｓ  Ｇｒｏｕｐ）２の方式やＭＰＥＧ４の方式などにより圧縮された動画データ（コンテンツ）を配信する。配信されたコンテンツは、ネットワーク１３を介してブックマーク端末装置１４、ユーザ端末装置１５に供給される。
【００４４】
なお、いまの例の場合、コンテンツホルダ１１には、メディア作成業者３１、放送局３２、およびネット放送局３３が含まれるとしたが、これに限らず、コンテンツを提供するものであれば、何でもよい。
【００４５】
ブックマーク端末装置１４は、放送局３２から放送されてくる番組（コンテンツ）を、アンテナ６１を介して受信する他、物流網１２を介してメディア作成業者３１からパッケージメディア４１（コンテンツが記録されている記録媒体）を受け取ったり、ネット放送局３３により配信された動画データ（コンテンツ）を、ネットワーク１３を介して受信する。ブックマーク端末装置１４は、これらの受信したコンテンツを内蔵する記録媒体６２に記録する。
【００４６】
ユーザ端末装置１５は、ブックマーク端末装置１４と同様に、放送局３２から放送されてくる番組（コンテンツ）を、アンテナ８１を介して受信する他、物流網１２を介してメディア作成業者３１からパッケージメディア４１（コンテンツが記録されている記録媒体）を受け取ったり、ネット放送局３３により配信された動画データ（コンテンツ）を、ネットワーク１３を介して受信する。ユーザ端末装置１５は、これらの受信したコンテンツを内蔵する記録媒体８２に記録する。
【００４７】
また、ブックマーク端末装置１４とユーザ端末装置１５は、ネットワーク１３を介して相互に情報を授受する。
【００４８】
図２は、図１のブックマーク端末装置１４の機能的構成を示すブロック図である。
【００４９】
ブックマーク端末装置１４は、コンテンツのダイジェストブックマーク（ダイジェストのある場所とその形式を登録する）を生成する端末装置である。なお、ダイジェストブックマークの詳細は、図９を参照して後述する。
【００５０】
ブックマーク端末装置１４は、入力部１００、映像音声受信部１０１、計時部１０２、メタデータ生成部１０３、コンテンツ蓄積部１０４、ダイジェストブックマーク生成部１０５、ダイジェストブックマーク蓄積部１０６、ダイジェストブックマーク送信部１０７、要求受信部１０８、およびユーセージルール書き込み部１０９により構成される。
【００５１】
入力部１００には、ユーザの指令が入力される。入力部１００は、ユーザの指令に基づく制御信号を映像音声受信部１０１、ダイジェストブックマーク生成部１０５等に送信する。
【００５２】
映像音声受信部１０１は、コンテンツホルダ１１（メディア作成業者３１、放送局３２、またはネット放送局３３）からコンテンツを受信し、受信したコンテンツをメタデータ生成部１０３、およびコンテンツ蓄積部１０４に供給する。メタデータ生成部１０３は、コンテンツおよび計時部１０２により計時されている時刻に基づいて、メタデータを生成する。例えば、コンテンツがテレビジョン番組とされる場合、メタデータには、その番組のチャンネル（ガイドチャンネル）、開始時刻、および終了時刻等が含まれる。
【００５３】
コンテンツ蓄積部１０４は、受信したコンテンツとメタデータを関連付けて記録する。
【００５４】
ダイジェストブックマーク生成部１０５は、入力部１００からダイジェストブックマークの生成を指令する信号が供給されると、ダイジェストブックマークを生成する。具体的には、コンテンツ蓄積部１０４に記録されている、対象となるコンテンツ、および計時部１０２により計時された時刻に基づいて、ダイジェストブックマークを生成する。生成されたダイジェストブックマークは、ダイジェストブックマーク蓄積部１０６に供給される。
【００５５】
ダイジェストブックマーク蓄積部１０６は、ダイジェストブックマーク生成部１０５により生成されたダイジェストブックマークを記録する。要求受信部１０８は、ユーザ端末装置１５からのダイジェストブックマークの要求を受信する。ユーセージルール書き込み部１０９は、ダイジェストブックマーク蓄積部１０６に記録されているダイジェストブックマークを送信するとき、ダイジェストブックマークに対して、ユーセージルール（使用条件）を書き込み、ダイジェストブックマーク送信部１０７は、ユーセージルールが書き込まれたダイジェストブックマークを、ネットワーク１３を介して、ユーザ端末装置１５に送信する。
【００５６】
図３は、図１のユーザ端末装置１５の機能的構成を示すブロック図である。
【００５７】
ユーザ端末装置１５は、ブックマーク端末装置１４からダイジェストブックマークを受信し、ダイジェストコンテンツを再生する情報処理装置である。
【００５８】
ユーザ端末装置１５は、入力部１５０、映像音声受信部１５１、計時部１５２、メタデータ生成部１５３、コンテンツ蓄積部１５４、ダイジェストブックマーク蓄積部１５５、ダイジェストコンテンツ生成部１５６、映像音声出力部１５７、ダイジェストブックマーク蓄積部１５８、および要求部１５９により構成される。
【００５９】
入力部１５０には、ユーザの指令が入力される。入力部１５０は、ユーザの指令に基づく制御信号を映像音声受信部１５１、ダイジェストコンテンツ生成部１５６等に送信する。
【００６０】
映像音声受信部１５１は、コンテンツホルダ１１からコンテンツを受信し、受信したコンテンツをメタデータ生成部１５３、およびコンテンツ蓄積部１５４に供給する。メタデータ生成部１５３は、コンテンツおよび計時部１５２により計時されている時刻に基づいて、メタデータを生成する。例えば、コンテンツがテレビジョン番組とされる場合、メタデータには、その番組のチャンネル、開始時刻、および終了時刻等が含まれる。
【００６１】
コンテンツ蓄積部１５４は、受信したコンテンツとメタデータを関連付けて記録する。
【００６２】
要求部１５９は、ユーザの指令（入力部１５０に入力されるユーザの指令）に基づいて、ブックマーク端末装置１４にダイジェストブックマークを要求する。ダイジェストブックマーク受信部１５５は、ブックマーク端末装置１４から供給されたダイジェストブックマーク（ユーセージルールが書き込まれているダイジェストブックマーク）を受信し、ダイジェストブックマーク蓄積部１５８に供給するとともに、ダイジェストコンテンツ生成部１５６に供給する。ダイジェストブックマーク蓄積部１５８は、ダイジェストブックマークを記録する。
【００６３】
ダイジェストコンテンツ生成部１５６は、コンテンツ蓄積部１５４に記録されているコンテンツと、ダイジェストブックマーク受信部１５５またはダイジェストブックマーク蓄積部１５８から取得したダイジェストブックマークに基づいて、ダイジェストコンテンツを生成する。なお、詳細は、図１８を参照して後述する。
【００６４】
映像音声出力部１５７は、ダイジェストコンテンツ生成部１５６により生成されたダイジェストコンテンツを出力する。
【００６５】
図４は、ブックマーク端末装置１４とユーザ端末装置１５の間の情報の授受を説明する図である。
【００６６】
図４の例の場合、コンテンツホルダ１１は、放送局３２とされ、放送局３２は、地上波によりテレビジョン番組を放送する（コンテンツを供給する）。放送されたテレビジョン番組（コンテンツ）は、アンテナ６１を介してブックマーク端末装置１４により受信されるとともに、アンテナ８１を介してユーザ端末装置１５により受信される。
【００６７】
ブックマーク端末装置１４は、コンテンツホルダ１１により配信、供給される様々なコンテンツを受信し、受信したコンテンツに基づいて、ダイジェストブックマークを生成する。また、ブックマーク端末装置１４は、生成したダイジェストブックマークを、例えば、ＨＴＴＰ（Ｈｙｐｅｒ  Ｔｅｘｔ  Ｔｒａｎｓｆｅｒ  Ｐｒｏｔｏｃｏｌ）の規格に基づいて、ネットワーク１３を介してユーザ端末装置１５に送信する。
【００６８】
ユーザ端末装置１５は、ユーザの指令に基づいて、コンテンツホルダ１１からコンテンツを受信するとともに、受信したコンテンツとに対応するダイジェストブックマークを、ブックマーク端末装置１４から受信する。ユーザ端末装置１５は、受信したコンテンツとダイジェストブックマークに基づいて、ダイジェストコンテンツを再生する。
【００６９】
次に、ブックマーク端末装置１４とユーザ端末装置１５がコンテンツを取得する処理を、図５乃至図７を参照して説明する。
【００７０】
最初に、図５のフローチャートを参照して、ブックマーク端末装置１４におけるコンテンツ取得処理を説明する。なお、この処理は、ブックマーク端末装置１４のユーザにより、コンテンツの取得が指令されたとき開始される。
【００７１】
ステップＳ１において、入力部１００は、ユーザからのコンテンツの取得の指令を受け付ける。この指令には、コンテンツホルダ１１の指定情報（例えば、図４の例の場合、放送局３２を指定する情報）と、コンテンツの指定情報（例えば、コンテンツを放送しているチャンネルのチャンネル番号）が含まれている。入力部１００は、指令に基づく制御信号を映像音声受信部１０１に出力する。
【００７２】
ステップＳ２において、映像音声受信部１０１は、ユーザにより指定されたコンテンツホルダ１１（いまの例の場合、放送局３２）から、指定されたコンテンツ（例えば、チャンネル番号２６４０番のコンテンツ）を受信する。いまの例の場合、映像音声受信部１０１は、アンテナ６１を介して、コンテンツを受信する。受信されたコンテンツは、メタデータ生成部１０３、およびコンテンツ蓄積部１０４に供給される。
【００７３】
ステップＳ３において、入力部１００は、ユーザから入力されるコンテンツＩＤを取得する。コンテンツＩＤは、ブックマーク端末装置１４のユーザがコンテンツを保存する場合に付けるＩＤとされる。入力部１００は、コンテンツＩＤをコンテンツ蓄積部１０４に供給する。
【００７４】
ステップＳ４において、メタデータ生成部１０３は、取得したコンテンツの開始時刻および終了時刻として、計時部１０２から供給される時刻（従って、放送時刻）を求めるとともに、コンテンツを放送した放送局のチャンネル（いまの例の場合、２６４０番）を取得する。いまの例の場合、放送局３２により放送されたテレビジョン番組を受信しているので、コンテンツの開始時刻は、映像音声受信部１０１が受信を開始した時刻とされ、コンテンツの終了時刻は、映像音声受信部１０１が受信を終了した時刻とされる。メタデータ生成部１０３は、取得したチャンネル、開始時刻、および終了時刻（すなわち、メタデータ）を、コンテンツ蓄積部１０４に供給する。
【００７５】
ステップＳ５において、コンテンツ蓄積部１０４は、映像音声受信部１０１から供給されたコンテンツに、メタデータ生成部１０３から供給されたチャンネル、開始時刻、および終了時刻（メタデータ）、並びにコンテンツＩＤを関連付けて記録させる。これにより、図６に示されるように、コンテンツＩＤ、ガイドチャンネル（チャンネルに対応する）、開始日時（開示時刻）、終了日時（終了時刻）、およびデータ（コンテンツ）が一緒に記録される。
【００７６】
図６において、コンテンツＩＤがＣＴ１２３の場合、ガイドチャンネルは２６４０とされ、開始日時は「２００２年３月５日１９時００分００秒００フレーム目」とされ、終了日時は、「２００２年３月５日２０時００分００秒００フレーム目」とされている。これらの情報に、データ（コンテンツのデータ）が関連付けられて記録されている。
【００７７】
また、コンテンツＩＤがＣＴ１０４の場合、ガイドチャンネルは２６４０とされ、開始日時は「２００２年３月５日２０時００分００秒００フレーム目」とされ、終了日時は、「２００２年３月５日２１時００分００秒００フレーム目」とされている。これらの情報に、データ（コンテンツのデータ）が関連付けられて記録されている。
【００７８】
さらに、コンテンツＩＤがＣＴ３０２の場合、ガイドチャンネルは２１２８とされ、開始日時は「２００２年３月１２日１９時００分００秒００フレーム目」とされ、終了日時は、「２００２年３月１２日２０時００分００秒００フレーム目」とされている。これらの情報に、データ（コンテンツのデータ）が関連付けられて記録されている。
【００７９】
図６に示される３つのコンテンツは、図５の処理を３回行なったことにより記録されたものである。
【００８０】
なお、コンテンツＩＤの記録は省略することもできる。具体的には、ステップＳ３の処理は省略することができる。この場合、ステップＳ５において、図６に示されるコンテンツＩＤは記録されない。
【００８１】
次に、図７のフローチャートを参照して、ユーザ端末装置１５におけるコンテンツ取得処理を説明する。なお、この処理は、ユーザによりコンテンツの取得が指令されたとき開始される。
【００８２】
ステップＳ５１において、入力部１５０は、ユーザからのコンテンツの取得の指令を受け付ける。上述した図５と同様に、この指令には、コンテンツホルダ１１の指定情報（例えば、図４の例の場合、放送局３２を指定する情報）、コンテンツの指定情報が含まれている。入力部１５０は、指令に基づく制御信号を映像音声受信部１５１に出力する。
【００８３】
ステップＳ５２において、映像音声受信部１５１は、ユーザにより指定されたコンテンツホルダ１１（いまの例の場合、放送局３２）から、指定されたコンテンツ（例えば、チャンネル番号２６４０番のコンテンツ）を受信する。受信されたコンテンツは、メタデータ生成部１５３、およびコンテンツ蓄積部１５４に供給される。
【００８４】
ステップＳ５３において、入力部１５０は、ユーザから入力されるコンテンツＩＤを取得する。コンテンツＩＤは、ユーザ端末装置１５のユーザがコンテンツを保存する場合に付けるＩＤ（ローカルなＩＤ）とされる。入力部１５０は、コンテンツＩＤをコンテンツ蓄積部１５４に供給する。
【００８５】
ステップＳ５４において、メタデータ生成部１０５は、取得したコンテンツの開始時刻および終了時刻として、計時部１５２から供給される時刻を求めるとともに、コンテンツを放送した放送局のチャンネル（いまの例の場合、２６４０番）を取得する。いまの例の場合、放送局３２により放送されたテレビジョン番組を受信しているので、コンテンツの開始時刻は、映像音声受信部１５１が受信を開始した時刻とされ、コンテンツの終了時刻は、映像音声受信部１５１が受信を終了した時刻とされる。メタデータ生成部１５３は、取得したチャンネル、開始時刻、および終了時刻（すなわち、メタデータ）を、コンテンツ蓄積部１５４に供給する。
【００８６】
ステップＳ５５において、コンテンツ蓄積部１５４は、映像音声受信部１５１から供給されたコンテンツに、メタデータ生成部１５３から供給されたチャンネル、開始時刻、および終了時刻（メタデータ）、並びにコンテンツＩＤを関連付けて記録させる。これにより、上述した図６に示される場合と同様に、コンテンツＩＤ、ガイドチャンネル（チャンネルに対応する）、開始日時（開示時刻）、終了日時（終了時刻）、およびデータ（コンテンツ）が一緒に記録される。
【００８７】
図５と図７の処理により、ブックマーク端末装置１４、およびユーザ端末装置１５は、それぞれコンテンツを取得し、記録することができる。
【００８８】
ブックマーク端末装置１４は、図５の処理により取得したコンテンツに基づいて、ダイジェストブックマークを生成する。ダイジェストブックマークは、コンテンツが記録されたとき、生成されるようにしてもよいし、ユーザの指令に基づいて、生成されるようにしてもよい。以下に、この２つの処理（ダイジェストブックマークがコンテンツが記録されたとき、生成される処理、およびユーザの指令に基づいて、ダイジェストブックマークが生成される処理）を説明する。
【００８９】
最初に、ブックマーク端末装置１４において、コンテンツが記録されたとき、実行されるダイジェストブックマーク自動生成処理を、図８のフローチャートを参照して説明する。なお、この処理は、図５の処理の後、すなわち、ブックマーク端末装置１４がコンテンツを取得し、記録した後に行なわれる。
【００９０】
ステップＳ１０１において、ダイジェストブックマーク生成部１０５は、コンテンツ蓄積部１０４に新たなコンテンツが記録されたか否かを判定し、新たなコンテンツが記録されるまで待機する。ダイジェストブックマーク生成部１０５は、新たなコンテンツがコンテンツ蓄積部１０４に記録されるたびに、ダイジェストコンテンツを生成する。そのため、この処理は行なわれる。
【００９１】
ステップＳ１０１において、新たなコンテンツが記録されたと判定された場合、ステップＳ１０２において、ダイジェストブックマーク生成部１０５は、新たに記録されたコンテンツをコンテンツ蓄積部１０４から選択する。
【００９２】
ステップＳ１０３において、ダイジェストブックマーク生成部１０５は、選択したコンテンツに基づいて、ダイジェストブックマークを生成する。ダイジェストブックマークは、コンテンツそのものを変更して生成されるものではなく、コンテンツに関連付けられて生成されるものである。
【００９３】
ダイジェストブックマークは、例えば、図９に示されるような構成とされる。図９の例の場合、ダイジェストブックマークは、ダイジェストブックマークＩＤ、ガイドチャンネル、およびダイジェスト時間により構成される。ダイジェストブックマークＩＤは、このダイジェストブックマークに固有のＩＤであり、ユーザが設定したものである。ガイドチャンネルは、コンテンツを放送した放送局のチャンネル、すなわち、ステップＳ１０２の処理により選択されたコンテンツのガイドチャンネル（選択されたコンテンツに関連付けられて、コンテンツ蓄積部１０４に記録されているメタデータに含まれるガイドチャンネル）に対応する。ダイジェスト時間は、シーン開始日時（シーン開始時刻）とシーン終了日時（シーン終了時刻）であり、コンテンツのうち、ダイジェストコンテンツとして放送する日時（時刻）である。
【００９４】
図９において、ダイジェストブックマークＩＤがＤＢ１１１１０とされる場合、ガイドチャンネルは、２６４０とされ、シーン開始時刻（日時）は「２００２年３月５日１９時３０分１０秒００フレーム目」とされ、シーン終了時刻（日時）は「２００２年３月５日１９時３１分３０秒００フレーム目」とされている。さらに、２つ目のシーン開始時刻（日時）は「２００２年３月５日１９時４０分２１秒００フレーム目」とされ、シーン終了時刻（日時）は「２００２年３月５日１９時４０分３２秒００フレーム目」とされる。いまの例の場合、ダイジェスト時間は、２つ（シーン開始時刻とシーン終了時刻のペアが２つ）とされたが、いくつでも登録することができる。
【００９５】
また、ダイジェストブックマークＩＤがＤＢ２０３９３とされる場合、ガイドチャンネルは、３０４とされ、シーン開始時刻（日時）は「２００２年３月７日２０時３０分５０秒００フレーム目」とされ、シーン終了時刻（日時）は「２００２年３月７日２０時３１分５５秒００フレーム目」とされる。
【００９６】
さらに、ダイジェストブックマークＩＤがＤＢ３９４９８とされる場合、ガイドチャンネルは、３０４とされ、シーン開始時刻（日時）は「２００２年３月７日１９時３０分１０秒００フレーム目」とされ、シーン終了時刻（日時）は「２００２年３月７日１９時３１分３０秒００フレーム目」とされる。さらに、２つ目のシーン開始時刻（日時）は「２００２年３月７日１９時４０分２１秒００フレーム目」とされ、シーン終了時刻（日時）は「２００２年３月７日１９時４０分３２秒００フレーム目」とされる。
【００９７】
ダイジェストブックマークは、記録されているコンテンツに基づいて生成されるので、シーン開始時刻、およびシーン終了時刻（ダイジェスト時間）は、記録されているコンテンツの中に含まれる。具体的には、ステップＳ１０２において、図６のコンテンツＩＤがＣＴ１２３であるコンテンツが選択された場合、そのダイジェストブックマークのダイジェスト時間（シーン開始時刻とシーン終了時刻）は、「２００２年３月５日１９時００分００フレーム目」以降であって、「２００２年３月５日２０時００分００フレーム目」以前に含まれる。例えば、図９のダイジェストブックマークＩＤが１１１１０とされるダイジェストブックマークが生成される。
【００９８】
図８に戻って、ステップＳ１０４において、ダイジェストブックマーク生成部１０５は、生成したダイジェストブックマークを、ダイジェストブックマーク蓄積部１０６に供給し、記憶させ、処理を終了する。
【００９９】
図８の処理により、ブックマーク端末装置１４は、コンテンツ蓄積部１０４に新たなコンテンツが記録された場合、ダイジェストブックマークを生成する。この処理は、新たなコンテンツが記録されるたびに、繰り返される。
【０１００】
次に、ユーザの指令に基づいて、ダイジェストブックマークが生成される処理を、図１０と図１１を参照して説明する。
【０１０１】
ユーザは、図１０に示されるようなコントローラ２５０の各種のボタンを操作することにより、ブックマーク端末装置１４に各種の指令を入力する。ブックマーク端末装置１４は、テレビジョン受像機２０１に接続されており、ユーザは、テレビジョン受像機２０１にコンテンツを出力させ、そのコンテンツを閲覧しながらコントローラ２５０を操作する。このコンテンツは、リアルタイムに放送されている番組（コンテンツ）であってもよいし、既にコンテンツ蓄積部１０４に記録されているコンテンツであってもよい。
【０１０２】
コントローラ２５０には、生成開始ボタン２７１、生成停止ボタン２７２、終了ボタン２７３、および発光部２７４が設けられており、生成開始ボタン２７１、生成停止ボタン２７２、および終了ボタン２７３のいずれかがユーザ（の指）により押圧されたとき、発光部２７４は、押圧されたボタン（指令）に対応する赤外線信号を発光する。
【０１０３】
ブックマーク端末装置１４は、その受光部２１１により、この赤外線信号を受光し、指令に対応する処理を実行する。受光部２１１は、例えば、図２の入力部１００に設けられている。
【０１０４】
具体的には、コントローラ２５０の生成開始ボタン２７１が押圧（オン）された場合、発光部２７４は、ダイジェストブックマークの生成開始を指令する赤外線信号を発光し、受光部２１１は、これを受光する。ブックマーク端末装置１４は、これに基づいて、ダイジェストブックマークの生成処理を開始する。また、生成停止ボタン２７２が押圧された場合、発光部２７４は、ダイジェストブックマークの停止を指令する赤外線信号を発光し、受光部２１１は、これを受光する。ブックマーク端末装置１４は、これに基づいて、ダイジェストブックマークの生成処理を停止する。さらに、終了ボタン２７３が押圧された場合、発光部２７４は、ダイジェストブックマークの生成の完了を指令する赤外線信号を発光し、受光部２１１は、これを受光する。ブックマーク端末装置１４は、これに基づいて、ダイジェストブックマークの生成処理を完了する。
【０１０５】
なお、図１０の例の場合、ユーザは、コントローラ２５０を用いて指令を入力するようにしたが、ユーザは、ブックマーク端末装置１４の入力部１００に直接入力して指令を入力してもよい。
【０１０６】
次に、図１１のフローチャートを参照して、ブックマーク端末装置１４におけるダイジェストブックマーク手動生成処理を説明する。ユーザは、テレビジョン受像機２０１が表示している放送番組（コンテンツ）を閲覧しながら、図１０のコントローラ２５０の各種のボタンを押圧することにより、ダイジェストブックマークの生成を指令する。
【０１０７】
ステップＳ１５１において、ブックマーク端末装置１４のダイジェストブックマーク生成部１０５は、ユーザにより生成開始ボタン２７１がオン（押圧）されたか否かを判定する。具体的には、ユーザにより生成開始ボタン２７１がオン（押圧）された場合、発光部２７４からダイジェストブックマークの生成を開始する指令に基づく赤外線信号が発光され、受光部２１１に受光されるので、ダイジェストブックマーク生成部１０５は、入力部１００に設けられている受光部２１１に、ダイジェストブックマークの生成を開始する指令が入力されたか否かを判定すればよい。
【０１０８】
ステップＳ１５１において、生成開始ボタン２７１がオンされたと判定された場合、ステップＳ１５２において、ダイジェストブックマーク生成部１０５は、計時部１０２が出力する現在時刻を、ダイジェストブックマークのシーン開始時刻として記録する。
【０１０９】
具体的には、ダイジェストブックマーク生成部１０５は、いま再生されているコンテンツにおいて、生成開始ボタン２７１がオンされた時刻を計時部１０２から取得し、これをシーン開始時刻として記録する。いまの例の場合、リアルタイムでコンテンツが再生されているので、ダイジェストブックマーク生成部１０５は、計時部１０２から現在時刻を取得し、それをダイジェストブックマークのシーン開始時刻として記録する。
【０１１０】
ステップＳ１５１で、生成開始ボタン２７１がオンされていないと判定された場合、ステップＳ１５２の処理はスキップされる。
【０１１１】
次に、ステップＳ１５３において、ダイジェストブックマーク生成部１０５は、ユーザにより生成停止ボタン２７２がオン（押圧）されたか否かを判定する。上述したステップＳ１５１の処理と同様に、ユーザにより生成停止ボタン２７２がオン（押圧）された場合、発光部２７４からダイジェストブックマークの生成を停止する指令に基づく赤外線信号が発光され、受光部２１１に受光されるので、ダイジェストブックマーク生成部１０５は、入力部１００に設けられている受光部２１１に、ダイジェストブックマークの生成を停止する指令が入力されたか否かを判定すればよい。
【０１１２】
ステップＳ１５３において、生成停止ボタン２７２がオンされたと判定された場合、ステップＳ１５４において、ダイジェストブックマーク生成部１０５は、ダイジェストブックマークのシーン終了時刻をダイジェストブックマークに記録する。具体的には、ダイジェストブックマーク生成部１０５は、いま再生されているコンテンツにおいて、生成停止ボタン２７２がオンされた時刻を計時部１０２から取得し、これをダイジェストブックマークのシーン終了時刻として記録する。いまの例の場合、リアルタイムでコンテンツが再生されているので、ダイジェストブックマーク生成部１０５は、計時部１０２から現在時刻を取得し、それをダイジェストブックマークのシーン終了時刻としてダイジェストブックマークに記録する。これにより、例えば、図９のダイジェスト時間が１つ（すなわち、シーン開始時刻とシーン終了時刻のペアが１つ）生成される。
【０１１３】
ステップＳ１５３で、生成停止ボタン２７２がオンされていないと判定された場合、ステップＳ１５４の処理はスキップされる。
【０１１４】
次に、ステップＳ１５５において、ダイジェストブックマーク生成部１０５は、終了ボタン２７３がオン（押圧）されたか否かを判定し、オンされていないとき、ステップＳ１５１に戻り、それ以降の処理を繰り返す。
【０１１５】
ステップＳ１５５において、終了ボタン２７３がオンされたと判定された場合、ダイジェストブックマーク生成部１０５は、ダイジェストブックマークの生成処理を終了する。これにより、例えば、図９に示されるダイジェストブックマークが生成される。
【０１１６】
なお、いまの例の場合、手動によるダイジェストブックマークの生成が、リアルタイムで放送されている番組に対して行なわれるようにしたが、これに限らず、コンテンツ蓄積部１０４に既に記録されているコンテンツを、テレビジョン受像機２０１に出力させることによっても、行なわれるようにしてもよい。
【０１１７】
この場合、コンテンツの記録を開始した時刻と、終了した時刻が、コンテンツに対応してコンテンツ蓄積部１０４に記録される。そして、ステップＳ１５２において記録される開始時刻は、再生されているコンテンツの開始時刻からの相対時刻とされる。例えば、図６のコンテンツＩＤがＣＴ１２３とされるコンテンツが再生された場合、ダイジェストブックマーク生成部１０５は、計時部１０２が出力する現在時刻を読み出す。再生が開始されてから１０分後に、ユーザからダイジェストブックマークの生成を開始する指令が入力された場合、ダイジェストブックマーク生成部１０５は、計時部１０２の現在時刻を読み取り、再生を開始したときの現在時刻との差を求める。ダイジェストブックマーク生成部１０５は、コンテンツ蓄積部１０４から、そのコンテンツに対応して記録されている記録開始時刻「２００２年３月５日１９時１０分００フレーム目」を読み出し、その値に、求めた現在時刻の差を加算して、「２００２年３月５日１９時１０分００フレーム目」を、そのコンテンツの開始時刻とし、ダイジェストブックマークに記録する。なお、ステップＳ１５４の終了時刻も、同様にして演算され、記録される。
【０１１８】
このように、ブックマーク端末装置１４は、図８または図１１の処理により、ダイジェストブックマークを生成し、記録することができる。
【０１１９】
なお、例えば、リアルタイムで放送され、記録されているコンテンツに対して、ユーザ（手動）によるダイジェストブックマークの生成指令がなされたとき、図１１の処理を実行するようにし、ユーザによりダイジェストブックマークの生成指令がされず、記録されたコンテンツがあった場合、図８の処理を実行するようにしてもよい。
【０１２０】
また、ユーザは、ダイジェストブックマークを生成する指令に加えて、そのダイジェストブックマークに関して、「コメント」を付加するようにしてもよい。
【０１２１】
次に、図１２乃至図１６を参照して、ユーザ端末装置１５がブックマーク端末装置１４からダイジェストブックマークを取得する処理を説明する。
【０１２２】
最初に、図１２のフローチャートを参照して、ユーザ端末装置１５におけるダイジェストブックマーク取得処理を説明する。なお、この処理は、図８または図１１の処理の後、すなわち、ブックマーク端末装置１４がダイジェストブックマークを生成した後に行なわれる処理である。また、この処理は、ユーザにより、ブックマーク端末装置１４へのアクセスが指令（入力部１５０に入力）されたとき開始される。
【０１２３】
ステップＳ２０１において、要求部１５９は、ユーザの指令（入力部１５０より入力されたユーザの指令）に基づいて、ブックマーク端末装置１４にネットワーク１３を介してアクセスする。例えば、要求部１５９は、ブックマーク端末装置１４の所定のアドレスにアクセスし、そのアドレスに対応するＨＴＭＬ（Ｈｙｐｅｒ  Ｔｅｘｔ  Ｍａｒｋｕｐ  Ｌａｎｇｕａｇｅ）ファイルを要求する。これに対して、ブックマーク端末装置１４は、ＨＴＭＬファイルを送信してくる（後述する図１６のステップＳ２５２）。
【０１２４】
そこで、ステップＳ２０２において、ダイジェストブックマーク受信部１５５は、ブックマーク端末装置１４からネットワーク１３を介して送信されてきたＨＴＭＬファイルを取得し、映像音声出力部１５７は、ＨＴＭＬファイルに基づく画像を図示せぬディスプレイに出力する。このとき、例えば、映像音声出力部１５７により、図１３に示されるような画像が出力される。画像３００には、ステップＳ２０１においてアクセスしたアドレス（ＨＴＭＬファイルのＵＲＬ）３１１、画像３００の説明としての、「お勧めダイジェストブックマーク！！」の表示３１２、並びに、ダイジェストブックマークを説明するバナー３３１乃至３３４が含まれている。
【０１２５】
バナー３３１に示される番組（コンテンツ）名は「大きな時計」とされ、放送日は２００２年３月３日（日）とされ、場所は東京とされ、チャンネルは６ｃｈ（チャンネル）とされ、そのコンテンツの放送時刻は、２０時００分から２１時００分とされている。また、「コメント」は「涙の再会」とされ、バナー３３１の右下には、ダイジェストブックマークを選択するバナー３５１が表示されている。なお、「場所」および「コメント」は、メタデータに含ませるようにしてもよいし、コンテンツそのものに関連付けられているものとしてもよい。
【０１２６】
バナー３３２に示される番組（コンテンツ）名は「大きな時計」とされ、放送日は２００２年３月３日（日）とされ、場所は東京とされ、チャンネルは６ｃｈ（チャンネル）とされ、そのコンテンツの放送時刻は、２０時００分から２１時００分とされている。また、「コメント」は「大事件勃発」とされ、バナー３３２の右下には、ダイジェストブックマークを選択するバナー３５２が表示されている。
【０１２７】
すなわち、このバナー３３２は、バナー３３１に示されている番組と同一の番組（コンテンツ）の中の、異なる時間のダイジェストブックマークに関するものである。例えば、図９に示されるように、同じコンテンツで２つのダイジェスト時間が記録された場合、この２つのダイジェスト時間が、別々のダイジェストブックマークとしてバナー表示される。
【０１２８】
バナー３３３に示される番組（コンテンツ）名は「びっくり人間」とされ、放送日は２００２年３月５日（火）とされ、場所は東京とされ、チャンネルは８ｃｈ（チャンネル）とされ、そのコンテンツの放送時刻は、１９時００分から２０時００分とされている。また、「コメント」は「とりあえず見て」とされ、バナー３３３の右下には、ダイジェストブックマークを選択するバナー３５３が表示されている。
【０１２９】
バナー３３４に示される番組（コンテンツ）名は「歌えもん」とされ、放送日は２００２年３月５日（火）とされ、場所は東京とされ、チャンネルは１０ｃｈ（チャンネル）とされ、そのコンテンツの放送時刻は、２０時００分から２１時００分とされている。また、「コメント」は「最新曲」とされ、バナー３３４の右下には、ダイジェストブックマークを選択するバナー３５４が表示されている。
【０１３０】
ユーザは、これらのバナー３３１乃至３３４を参照して、興味のあるダイジェストブックマーク（ダイジェストブックマークを選択するバナー３５１乃至３５４のうちのいずれか１つ）を選択する。
【０１３１】
図１２に戻って、ステップＳ２０３において、入力部１５０は、ユーザにより、ダイジェストブックマークが要求されたか否かを判定する。具体的には、図１３に示される画像３００の中から、ダイジェストブックマークを選択するバナー３５１乃至３５４のうち、いずれか１つが選択されたか否かが判定される。ダイジェストブックマークが要求されたと判定された場合、ステップＳ２０４において、要求部１５９は、ブックマーク端末装置１４に、ダイジェストブックマーク（ユーザにより選択されたダイジェストブックマーク）の送信を要求する。
【０１３２】
このとき、要求部１５９は、選択されたダイジェストＩＤに加えて、図１４に示されるようなＨＴＴＰ（Ｈｙｐｅｒ  Ｔｅｘｔ  Ｔｒａｎｓｆｅｒ  Ｐｒｏｔｏｃｏｌ）メッセージ４００を、ダイジェストブックマークの要求として送信する。
【０１３３】
このダイジェストブックマークの要求に対して、ブックマーク端末装置１４は、ＨＴＴＰ  ＲｅｓｐｏｎｓｅにＢｏｄｙを入れて返信してくる（後述する図１６のステップＳ２５５）。この返信は、図１５に示されるようなＨＴＴＰメッセージ４５０とされる。図１５のメッセージでは、図１４に示されるＨＴＴＰ  ＲｅｓｐｏｎｓｅにＢｏｄｙが挿入されている。
【０１３４】
そこで、ステップＳ２０５において、ダイジェストブックマーク受信部１５５は、ブックマーク端末装置１４からネットワーク１３を介して送信されてきたダイジェストブックマーク（ユーセージルールが書き込まれているダイジェストブックマーク）を受信する。
【０１３５】
ステップＳ２０６において、ダイジェストブックマーク蓄積部１５８は、受信したダイジェストブックマークを記録する。
【０１３６】
ステップＳ２０３において、ダイジェストブックマークの送信が要求されていないと判定された場合、またはステップＳ２０６の処理の後、処理は終了される。
【０１３７】
次に、図１６のフローチャートを参照して、ユーザ端末装置１５の図１２の処理に対応する、ブックマーク端末装置１４におけるダイジェストブックマーク送信処理を説明する。なお、この処理は、ユーザ端末装置１５によりアクセスされたとき開始される。
【０１３８】
ステップＳ２５１において、要求受信部１０８は、ユーザ端末装置１５からのアクセス（図１２のステップＳ２０１）を受け付け、ステップＳ２５２において、ダイジェストブックマーク送信部１０７は、アクセスに基づくＨＴＭＬファイルを送信する。
【０１３９】
これに対して、ユーザ端末装置１５は、ＨＴＭＬファイルに基づく画像を表示し、ユーザの指令に基づいて、ダイジェストブックマークを選択し、要求してくる（図１２のステップＳ２０４）。このとき、上述したように図１４に示されるようなＨＴＴＰメッセージ４００が受信される。
【０１４０】
そこで、ステップＳ２５３において、要求受信部１０８は、ユーザ端末装置１５から、ダイジェストブックマークが要求されたか否かを判定し、ダイジェストブックマークが要求されたと判定した場合、ステップＳ２５４において、ユーセージルール書き込み部１０９は、要求のあったダイジェストブックマーク（送信する予定のダイジェストブックマーク）をダイジェストブックマーク蓄積部１０６から読み出し、読み出したダイジェストブックマークに対して、ユーセージルール（使用条件）を書き込む。このユーセージルールには、例えば、複製および転送等を制限するような条件が含まれる。ユーセージルールの内容は、ユーザが適宜設定する。
【０１４１】
ステップＳ２５５において、ダイジェストブックマーク送信部１０７は、ユーセージルールが書き込まれたダイジェストブックマークをユーザ端末装置１５に送信する。このとき、上述したように、図１５に示されるようなＨＴＴＰメッセージ４５０とともにユーセージルールが送信される。
【０１４２】
ステップＳ２５３において、ダイジェストブックマークが要求されていないと判定された場合、またはステップＳ２５５の処理の後、処理は終了される。
【０１４３】
このように、図１２と図１６の処理により、ユーザ端末装置１５は、ブックマーク端末装置１４からダイジェストブックマークを取得することができる。
【０１４４】
これらの処理を、図１７を参照して簡単に説明する。図１７において記載されるステップは、上述した図１２と図１６の各ステップに対応している。
【０１４５】
ユーザ端末装置１５がステップＳ２０４において、図１４に示される要求のメッセージ４００を送信すると、ブックマーク端末装置１４は、ステップＳ２５５において、図１５に示される応答のメッセージ４５０（勿論、ユーセージルールは書き込まれている）を送信する。このとき、授受される情報は、ＨＴＴＰのメッセージのみとされ、コンテンツ自体は授受されない。そのため、授受する情報量、従ってネットワーク１３のトラフィックを少なくすることができる。
【０１４６】
ユーザ端末装置１５は、このようにして取得したダイジェストブックマークに基づいて、ダイジェストコンテンツを再生する。ユーザ端末装置１５におけるダイジェストコンテンツ再生処理を、図１８のフローチャートを参照して説明する。なお、この処理は、上述した図１２および図１６の処理の後、すなわち、ユーザ端末装置１５がダイジェストブックマークを取得した後に行なわれる処理である。
【０１４７】
ステップＳ３０１において、入力部１５０は、ユーザからのダイジェストブックマークの選択を受け付ける。具体的には、入力部１５０に入力されるユーザの指令に基づいて、映像音声出力部１５７は、ダイジェストブックマーク蓄積部１５８に蓄積されているダイジェストブックマークを読み出し、ディスプレイに出力し、ユーザに選択させる。ユーザは、表示された複数のダイジェストブックマークの中から、好みのダイジェストブックマークの選択信号を、入力部１５０から入力する。
【０１４８】
ステップＳ３０２において、ダイジェストコンテンツ生成部１５６は、選択されたダイジェストブックマークを、ダイジェストブックマーク蓄積部１５８から読み出し、読み出したダイジェストブックマークにユーセージルールが書き込まれているか否かを判定する。
【０１４９】
ユーザ端末装置１５のダイジェストブックマーク蓄積部１５８には、上述した図８または図１１の処理により、自分自身で生成したダイジェストブックマーク、並びに、図１２および図１４の処理により、ブックマーク端末装置１４から取得したダイジェストブックマークが記録されている。図８または図１１の処理により、自分自身で生成したダイジェストブックマークには、ユーセージルールが書き込まれていないが、ブックマーク端末装置１４から取得した（図１２および図１４の処理により取得した）ダイジェストブックマークには、ユーセージルールが書き込まれている。
【０１５０】
ステップＳ３０２において、ユーセージルールが書き込まれていると判定された場合、すなわち、ステップＳ３０１において選択されたダイジェストブックマークが、ブックマーク端末装置１４から取得したダイジェストブックマークであると判定された場合、ステップＳ３０３において、ダイジェストコンテンツ生成部１５６は、ユーセージルールの制限内で、処理が可能であるか否かを判定する。例えば、ユーセージルールが、複製および転送を制限している場合、ダイジェストブックマークに基づいて、ユーザ端末装置１５がダイジェストコンテンツを再生することができるが、例えば、ユーセージルールに、ダイジェストコンテンツの再生を禁止する条件（例えば、特定のユーザのみしか再生できないとする条件）が含まれていた場合、その条件が満たされないときは（例えば、許可されたユーザではないときは）、ダイジェストコンテンツの再生はできない。
【０１５１】
ステップＳ３０３において、ユーセージルールの制限内で処理可能であると判定された場合、またはステップＳ３０２において、ユーセージルールが書き込まれていないと判定された場合、ステップＳ３０４において、ダイジェストコンテンツ生成部１５６は、ユーザにより選択されたダイジェストブックマークのチャンネルと同一のチャンネルのコンテンツが、コンテンツ蓄積部１５４に記録されているか否かを判定する。
【０１５２】
例えば、ユーザにより選択されたダイジェストブックマークが、図９のダイジェストブックマークＩＤがＤＢ１１１１０の１つ目のダイジェスト時間のものである場合、そのチャンネルは２６４０であるので、コンテンツ蓄積部１５４に、チャンネルが２６４０であるコンテンツが記録されているか否かが判定される。コンテンツ蓄積部１５４に図６に示されるコンテンツが記録されていた場合、チャンネルが２６４０であるコンテンツが存在するので、この処理はＹＥＳと判定される。
【０１５３】
ステップＳ３０４において、ダイジェストブックマークのチャンネルと同一のチャンネルのコンテンツがコンテンツ蓄積部１５４に記録されていると判定された場合、ステップＳ３０５において、ダイジェストコンテンツ生成部１５６は、ステップＳ３０１の処理により選択されたダイジェストブックマークの時間（シーン開始時刻からシーン終了時刻までの時間）が、コンテンツの開始時刻と終了時刻に収まるか否かを判定する。
【０１５４】
図９の例の場合、ダイジェストブックマークＩＤがＤＢ１１１１０の１つ目の時間は、シーン開始時刻が「２００２年３月５日１９時３０分１０秒００フレーム目」であり、シーン終了時刻が「２００２年３月５日１９時３１分３０秒００フレーム目」であるので、図６のコンテンツＩＤがＣＴ１２３のコンテンツの開始時刻と終了時刻が、上述した時間に含まれているか否かが判定される。このコンテンツは、開始日時が「２００２年３月５日１９時００分００秒００フレーム目」とされ、終了日時が「２００２年３月５日２０時００分００秒００フレーム目」とされるので、ＹＥＳと判定される。
【０１５５】
ステップＳ３０５において、選択されたダイジェストブックマークの時間（シーン開始時刻からシーン終了時刻までの時間）が、コンテンツの開始時刻と終了時刻に収まると判定された場合、ステップＳ３０６において、ダイジェストコンテンツ生成部１５６は、一致するコンテンツを読み出す。いまの例の場合、図６のコンテンツＩＤがＣＴ１２３とされるコンテンツが読み出される。
【０１５６】
ステップＳ３０７において、ダイジェストコンテンツ生成部１５６は、読み出したコンテンツ（ステップＳ３０６において読み出したコンテンツ）と、ステップＳ３０１において選択されたダイジェストブックマークの情報に基づいて、ダイジェストコンテンツを生成する。具体的には、ダイジェストブックマークには、図９に示されるように、ダイジェスト時間（シーン開始時刻からシーン終了時刻までの時間）が含まれており、コンテンツそのものは、含まれていない。そのため、ダイジェストコンテンツ生成部１５６は、ダイジェストブックマークを参照して、コンテンツそのものから、ダイジェスト時間に対応するコンテンツを、ダイジェストコンテンツとして生成する。
【０１５７】
ステップＳ３０８において、映像音声出力部１５７は、生成されたダイジェストコンテンツをディスプレイに出力する（再生する）。
【０１５８】
ステップＳ３０４において、選択されたダイジェストブックマークのチャンネルと同一のチャンネルのコンテンツがコンテンツ蓄積部１５４に記録されていないと判定された場合、またはステップＳ３０５において、選択されたダイジェストブックマークの時間（シーン開始時刻からシーン終了時刻までの時間）が、コンテンツの開始時刻と終了時刻に収まらないと判定された場合、ダイジェストブックマークに対応するコンテンツ（一致するコンテンツ）が記録されていないことと等価であるので、処理はステップＳ３０９に進み、映像音声出力部１５７は、一致するコンテンツがないことを示すメッセージを出力する。
【０１５９】
ステップＳ３０３において、ユーセージルールの制限内で処理が可能でないと判定された場合、ステップＳ３０８の処理の後、またはステップＳ３０９の処理の後、処理は終了される。
【０１６０】
このように、図１８の処理により、ユーザ端末装置１５において、ダイジェストコンテンツを再生することができる。ユーザ端末装置１５は、コンテンツホルダ１１から取得したコンテンツと、ブックマーク端末装置１４から取得したダイジェストブックマークを組み合わせることにより、コンテンツ蓄積部１５４に記録されているコンテンツのダイジェストコンテンツを再生することが可能となる。
【０１６１】
図１８のフローチャートの処理をまとめると、次のようになる。ステップＳ３０１において選択されたダイジェストブックマークのガイドチャンネルがＣＨＢとされ、ダイジェスト時間が（Ｔ１−Ｔ２）（シーン開始時刻がＴ１とされ、シーン終了時刻がＴ２とされるとき、以下、（Ｔ１−Ｔ２）と記述する）、（Ｔ３−Ｔ４）、または（Ｔ５−Ｔ６）とされ、また、あらかじめユーザが所有していたコンテンツ（コンテンツ蓄積部１５４に記録されているコンテンツ）が、コンテンツＡとされ、ガイドチャンネルがｃｈｘとされ、開始時刻がｔｓとされ、終了時刻がｔｅとされる場合、ステップＳ３０４において、ＣＨＢとｃｈｘが一致するコンテンツが検索される。
【０１６２】
該当するコンテンツがあった場合、ステップＳ３０５において、該当するコンテンツであって、かつ、ダイジェスト時間（Ｔ１−Ｔ２）（Ｔ３−Ｔ４）（Ｔ５−Ｔ６）（いまの例の場合、３つのダイジェスト時間がある）が、コンテンツの開始時刻がｔｓから終了時刻がｔｅに含まれるコンテンツが検索される。ステップＳ３０４、およびステップＳ３０５が、ともにＹＥＳと判定される場合、この２つの条件（ステップＳ３０４とステップＳ３０５の条件）を満たすコンテンツが、ダイジェストブックマークにマッチするコンテンツとされるので、ダイジェストコンテンツが生成され、再生される。
【０１６３】
これにより、ユーザ端末装置１５は、他人（ブックマーク端末装置１４）から取得したダイジェストブックマークに基づいて、ダイジェストコンテンツを視聴することができる。そのため、例えば、サッカーのゴールシーンだけを抜粋したコンテンツ（ダイジェストコンテンツ）、テレビジョン番組からコマーシャルを除いたコンテンツ（ダイジェストコンテンツ）、または、好きな歌手が出ているシーンだけを抜粋したコンテンツ（ダイジェストコンテンツ）等のダイジェストコンテンツを簡単に楽しむことが可能となる。
【０１６４】
また、ユーザ端末装置１５のユーザは、ダイジェストコンテンツを視聴することにより、時間を有効に活用することができ、多くのコンテンツを視聴することができる。
【０１６５】
さらに、コンテンツホルダ１１以外のブックマーク端末装置１４からのダイジェストを取得できるので、より多くのダイジェストコンテンツを取得することができる。
【０１６６】
一方、コンテンツホルダ１１にしてみれば、コンテンツそのものを全て見るほどの時間がないユーザ（ユーザ端末装置１５）に、コンテンツを視聴させることが可能となる。さらに、ブックマーク端末装置１４（コンテンツホルダ１１以外の機器）がダイジェストブックマークを生成できるので、１つのコンテンツに対して様々な楽しみ方をユーザに提供することができ、より多くの視聴者（ユーザ（ユーザ端末装置１５））を得ることができる。コンテンツ自体は、コンテンツホルダ１１が配布するので、コンテンツの暗号化が必要であれば、コンテンツホルダ１１が行なえばよい。
【０１６７】
ブックマーク端末装置１４は、コンテンツそのものを加工するわけではなく、非破壊編集をするだけなので、ダイジェスト（ダイジェストブックマーク）を容易に、かつ、低コストで生成することができる。
【０１６８】
また、ネットワークインフラ業者は、ダイジェストが、コンテンツそのものではなく、ダイジェストブックマークとして配信されるので、ネットワークの容量を増大させる必要がない。
【０１６９】
さらに、ユーセージルールを設定することにより、ブックマーク端末装置１４は、ダイジェストブックマークを配信するユーザを限定することができる。
【０１７０】
なお、以上の例では、ユーザ端末装置１５が記録しているコンテンツに対応しないダイジェストブックマークでも取得できるような構成としているが（図１２では、ブックマーク端末装置１４に記録されているダイジェストブックマークであれば、何でも取得可能であるので）、図１２において、ダイジェストブックマークを要求するとき（ステップＳ２０４）に、要求するダイジェストブックマークに対応するコンテンツが、ユーザ端末装置１５のコンテンツ蓄積部１５４に記録されているか否かを判定し、記録されていないときは、そのダイジェストブックマークを要求しないようにしてもよい。また、対応するコンテンツが記録されていないとき、コンテンツホルダ１１に、対応するコンテンツを要求すると共に、ブックマーク端末装置１４にダイジェストブックマークを要求するようにしてもよい。
【０１７１】
なお、以上の例は、ユーザ端末装置１５が、ネットワーク１３を介して、直接ブックマーク端末装置１４にダイジェストブックマークを要求し、取得するようにしたが、例えば、検索エンジンを中心とした情報提供サイトであるポータルサイトを介して、取得するようにしてもよい。この場合の例を、図１９を参照して説明する。
【０１７２】
図１９に示される情報処理システムは、放送局３２、ブックマーク端末装置１４、ユーザ端末装置１５、およびポータルサイト５００により構成される。
【０１７３】
図１９の例の場合、コンテンツホルダ１１は放送局３２とされ、放送局３２は、地上波によりテレビジョン番組を放送する（コンテンツを供給する）。放送されたテレビジョン番組（コンテンツ）は、アンテナ６１を介してブックマーク端末装置１４に受信される。また、放送されたテレビジョン番組（コンテンツ）は、アンテナ８１を介してユーザ端末装置１５に受信される。
【０１７４】
ブックマーク端末装置１４は、コンテンツホルダ１１により配信、供給される様々なコンテンツを受信し、受信したコンテンツに基づいて、ダイジェストブックマークを生成する（上述した図８または図１１）。また、ブックマーク端末装置１４は、生成したダイジェストブックマークをＨＴＴＰの規格に基づいて、ネットワーク１３を介してポータルサイト５００に送信する。
【０１７５】
ポータルサイト５００には、記録媒体５０１が設けられており、ブックマーク端末装置１４から供給されたダイジェストブックマークを記録する。
【０１７６】
ユーザ端末装置１５は、ユーザの指令に基づいて、コンテンツホルダ１１からコンテンツを受信するとともに、受信したコンテンツと同一のコンテンツのダイジェストブックマークを、ポータルサイト５００に要求する。ポータルサイト５００はこの要求に対応して、ダイジェストブックマークを供給してくるので、ユーザ端末装置１５は、これを受信する。ユーザ端末装置１５は、受信したコンテンツとダイジェストブックマークに基づいて、ダイジェストコンテンツを再生する。
【０１７７】
次に、図２０と図２１を参照して、図１９のブックマーク端末装置１４がポータルサイト５００にダイジェストブックマークを送信する処理を説明する。
【０１７８】
最初に、図２０のフローチャートを参照して、ブックマーク端末装置１４におけるダイジェストブックマーク送信処理を説明する。この処理は、上述した図８の処理の後、すなわち、ブックマーク端末装置１４がダイジェストブックマークを記録した後に行なわれる処理である。
【０１７９】
ステップＳ３５１において、ダイジェストブックマーク送信部１０７は、ダイジェストブックマーク蓄積部１０６に、新たに、ダイジェストブックマークを記録したか否かを判定し、ダイジェストブックマークを記録するまで待機する。
【０１８０】
ステップＳ３５１において、新たなダイジェストブックマークを記録したと判定された場合、ステップＳ３５２において、ダイジェストブックマーク送信部１０７は、新たに記録したダイジェストブックマークに基づくＨＴＴＰメッセージを、ネットワーク１３を介して、ポータルサイト５００に送信する。ポータルサイト５００は、これを受信（アップロード）し、記録した後、ブックマーク端末装置１４に応答（アップロードの完了の応答）を送信してくる。
【０１８１】
そこで、ステップＳ３５３において、要求受信部１０８は、ネットワーク１３を介してポータルサイト５００からの応答（アップロードの完了の応答）を受信し、処理を終了する。
【０１８２】
次に、図２１のフローチャートを参照して、図２０のブックマーク端末装置１４の処理に対応する、ポータルサイト５００におけるダイジェストブックマーク記録処理を説明する。なお、この処理は、図２０のステップＳ３５２の処理により、ブックマーク端末装置１４からダイジェストブックマークが送信されてきたとき開始される。
【０１８３】
ステップＳ４０１において、ポータルサイト５００は、ブックマーク端末装置１４から送信されてきた（図２０のステップ３５２）ダイジェストブックマークを受信（アップロード）する。
【０１８４】
ステップＳ４０２において、ポータルサイト５００は、受信したダイジェストブックマークを記録する。
【０１８５】
ステップＳ４０３において、ポータルサイト５００は、ダイジェストブックマークの記録を完了したことを示す応答を送信し、処理を終了する。
【０１８６】
ポータルサイト５００は、アクセスしてきた機器（ブックマーク端末装置１４）により送信された情報を記録媒体５０１に記録しておくこともできるし、アクセスしてきた機器の要求に対応する情報を記録媒体５０１から読み出して提供することもできる。これにより、例えば、ユーザ端末装置１５が、ポータルサイト５００の所定のアドレスにアクセスした場合、ユーザ端末装置１５は、ポータルサイト５００に記録（アップロード）されているダイジェストブックマークを取得することができる。ポータルサイトは、ダイジェストブックマークを要求のあったユーザ端末装置１５に提供することができる。
【０１８７】
図２２と図２３のフローチャートは、ユーザ端末装置１５がポータルサイト５００からダイジェストブックマークを取得する処理を説明するものである。最初に、図２２のフローチャートを参照して、ユーザ端末装置１５におけるダイジェストブックマーク取得処理を説明する。
【０１８８】
ステップＳ４５１において、ユーザ端末装置１５の要求部１５９は、入力部１５０に入力されるユーザの指令に基づいて、ポータルサイト５００の所定のアドレスにアクセスする。これに対して、ポータルサイト５００は、アクセスされたアドレスに対応するＨＴＭＬファイルを送信してくる（後述する図２３のステップＳ５０２）。このＨＴＭＬファイルは、ポータルサイト５００の記録媒体５０１に記録されている全てのダイジェストブックマークのインデックスのファイルとされる。
【０１８９】
そこでステップＳ４５２において、ダイジェストブックマーク受信部１５５は、ポータルサイト５００からＨＴＭＬファイルを受信し、映像音声出力部１５７は、ＨＴＭＬファイルに基づく画像を出力する。このとき、例えば、映像音声出力部１５７により、上述した図１３に示されるような画像が出力される。ユーザは、表示された複数のダイジェストブックマークの中から好みのダイジェストブックマークを選択することができる。なお、図１３の例の場合、表示されるダイジェストブックマークは４つとされているが、実際には、ポータルサイト５００の記録媒体５０１に記録されている全てのダイジェストブックマークのインデックスが送信されているので、全てのダイジェストブックマークに対応するインデックスが表示される。ディスプレイに表示されていないインデックスは、スクロールすることで表示される。
【０１９０】
ステップＳ４５３において、入力部１５０は、ユーザにより、ダイジェストブックマークが要求されたか否かを判定する。具体的には、図１３に示される画像３００の中から、ダイジェストブックマークを選択するバナー３５１乃至３５４のうち、いずれか１つが選択されたか否かが判定される。ダイジェストブックマークが要求されたと判定された場合、ステップＳ４５４において、要求部１５９は、ポータルサイト５００に、ダイジェストブックマーク（ユーザにより選択されたダイジェストブックマーク）を要求する。
【０１９１】
このとき、要求部１５９は、選択されたダイジェストＩＤに加えて、上述した図１４に示されるようなＨＴＴＰメッセージ４００を、ダイジェストブックマークの要求として送信する。
【０１９２】
このダイジェストブックマークの要求に対して、ポータルサイト５００は、ＨＴＴＰ  ＲｅｓｐｏｎｓｅにＢｏｄｙを入れて返信してくる（後述する図２３のステップＳ５０４）。この返信は、上述した図１５に示されるようなＨＴＴＰメッセージ４５０とされる。
【０１９３】
そこで、ステップＳ４５５において、ダイジェストブックマーク受信部１５５は、ポータルサイト５００からダイジェストブックマークを受信し、ステップＳ４５６において、ダイジェストブックマーク蓄積部１５８は、ダイジェストブックマークを記録する。
【０１９４】
ステップＳ４５３において、ダイジェストブックマークが要求されていないと判定された場合、またはステップＳ４５６の後、処理は終了される。
【０１９５】
次に、図２３のフローチャートを参照して、図２２のユーザ端末装置１５の処理に対応する、ポータルサイト５００におけるダイジェストブックマーク送信処理を説明する。なお、この処理は、ユーザ端末装置１５によりアクセスされたとき開始される。
【０１９６】
ステップＳ５０１において、ポータルサイト５００は、ユーザ端末装置１５からのアクセス（図２２のステップＳ４５１）を受け付け、ステップＳ５０２において、ポータルサイト５００は、アクセスに基づくＨＴＭＬファイルを送信する。
【０１９７】
これに対して、ユーザ端末装置１５は、ＨＴＭＬファイルに基づく画像を表示し、ユーザの指令に基づいて、ダイジェストブックマークを選択し、要求してくる（図２２のステップＳ４５４）。このとき、上述したように図１４に示されるようなＨＴＴＰメッセージ４００が受信される。
【０１９８】
そこで、ステップＳ５０３において、ポータルサイト５００は、ユーザ端末装置１５から、ダイジェストブックマークが要求されたか否かを判定し、ダイジェストブックマークが要求されたと判定した場合、ステップＳ５０４において、ポータルサイト５００は、要求されたダイジェストブックマークを送信する。このとき、上述したように、図１５に示されるようなＨＴＴＰメッセージ４５０が送信される。
【０１９９】
ステップＳ５０３において、ダイジェストブックマークが要求されていないと判定された場合、またはステップＳ５０４の処理の後、処理は終了される。
【０２００】
このように、図２２と図２３の処理により、ユーザ端末装置１５は、ポータルサイト５００からダイジェストブックマークを取得することができる。
【０２０１】
また、図２０乃至図２３の処理により、ユーザ端末装置１５は、ポータルサイト５００を介して、ブックマーク端末装置１４からダイジェストブックマークを取得することができる。
【０２０２】
これらの処理を、図２４を参照して簡単に説明する。なお、図２４において記載されるステップは、上述した図２０と図２３の各ステップに対応している。
【０２０３】
ステップＳ３５２において、ブックマーク端末装置１４が、ダイジェストブックマークを送信すると、ポータルサイト５００は、ステップＳ４０１においてこれを受信し、ステップＳ４０３において、ダイジェストブックマークの記録完了を示す応答のメッセージを送信する。ブックマーク端末装置１４は、ステップＳ３５３において、この応答を受信する。
【０２０４】
また、ユーザ端末装置１５は、ステップＳ４５１において、ポータルサイト５００に、ＨＴＭＬファイルを要求すると（アクセスすると）、ポータルサイト５００はステップＳ５０１においてこれを受信し、ステップＳ５０２において、この要求に対応する応答であるＨＴＭＬファイルを送信する。ユーザ端末装置１５は、ステップＳ４５２においてこれを受信し、表示した後、ステップＳ４５４において、ダイジェストブックマークを要求する。ポータルサイト５００は、ステップＳ５０３においてこの要求を受信し、ステップＳ５０４において、要求に対応するダイジェストブックマークを送信する。ユーザ端末装置１５は、ステップＳ４５５においてこれを受信する。
【０２０５】
このように、ユーザ端末装置１５は、ブックマーク端末装置１４と直接ネットワーク１３を介して接続されていなくても、ポータルサイト５００を介してダイジェストブックマークを授受することができる。
【０２０６】
これにより、ブックマーク端末装置１４は、常にネットワークに接続されていいる必要がなくなるので、サーバの設置などのコストを削減することができる。また、コンテンツそのものを授受するわけではないので、ポータルサイト５００の負担を減らすことができる。
【０２０７】
また、ユーザ端末装置１５のユーザは、コンテンツのダイジェストを容易に視聴することができる。
【０２０８】
なお、以上の例は、ブックマーク端末装置１４において、ダイジェストブックマークを生成し、ユーザ端末装置１５に提供するようにしたが、ユーザ端末装置が、自分自身でダイジェストブックマークを生成するようにしてもよい。この場合の例を、以下に示す。
【０２０９】
図２５の情報処理システムは、放送局３２、ユーザ端末装置６００、およびユーザ端末装置６５０により構成される。
【０２１０】
図２５において、コンテンツホルダ１１は放送局３２とされ、放送局３２は、地上波によりテレビジョン番組を放送する（コンテンツを供給する）。放送されたテレビジョン番組（コンテンツ）は、アンテナ６０１を介してユーザ端末装置６００に受信されたり、アンテナ６５１を介してユーザ端末装置６５０に受信される。
【０２１１】
ユーザ端末装置６００およびユーザ端末装置６５０は、上述したブックマーク端末装置１４と同様に、コンテンツに基づいて、ダイジェストブックマークを生成する機能を有している。ユーザ端末装置６００およびユーザ端末装置６５０は、放送局３２により放送されたコンテンツを受信し、受信したコンテンツに基づいて、ダイジェストブックマークを生成する。ユーザ端末装置６００およびユーザ端末装置６５０は、生成したダイジェストブックマークをネットワーク１３を介して、互いに授受する。
【０２１２】
例えば、ユーザ端末装置６００は、自分自身で生成したダイジェストブックマークをネットワーク１３を介してユーザ端末装置６５０に送信する。ユーザ端末装置６５０は、これを受信し、ダイジェストコンテンツを再生する。
【０２１３】
ユーザ端末装置６００とユーザ端末装置６５０の間の通信は、例えば、Ｐ２Ｐ（ピアツーピア）により行なわれる。
【０２１４】
図２６は、図２５のユーザ端末装置６００の機能的構成を示すブロック図である。
【０２１５】
ユーザ端末装置６００は、コンテンツに基づいて、ダイジェストブックマークを生成するとともに、ダイジェストブックマークとコンテンツに基づいて、ダイジェストコンテンツを生成する情報処理装置である。
【０２１６】
ユーザ端末装置６００には、入力部７００、映像音声受信部７０１、計時部７０２、メタデータ生成部７０３、コンテンツ蓄積部７０４、ダイジェストブックマーク生成部７０５、ダイジェストブックマーク蓄積部７０６、映像音声出力部７０７、要求受信部７０８、ダイジェストブックマーク送信部７０９、要求部７１０、ダイジェストブックマーク受信部７１１、およびダイジェストコンテンツ生成部７１２が設けられている。
【０２１７】
入力部７００には、ユーザの指令が入力される。入力部７００は、ユーザの指令に基づく制御信号を映像音声受信部７０１、ダイジェストブックマーク生成部７０５、要求部７１０、およびダイジェストコンテンツ生成部７１２等に送信する。
【０２１８】
映像音声受信部７０１は、コンテンツホルダ１１（いまの例の場合、放送局３２）からコンテンツを受信し、受信したコンテンツをメタデータ生成部７０３、およびコンテンツ蓄積部７０４に供給する。メタデータ生成部７０３は、コンテンツおよび計時部７０２により計時されている時刻に基づいて、メタデータを生成する。例えば、コンテンツがテレビジョン番組とされる場合、メタデータには、その番組のチャンネル、開始時刻、および終了時刻等が含まれる。
【０２１９】
コンテンツ蓄積部７０４は、受信したコンテンツとメタデータを関連付けて記録する。
【０２２０】
ダイジェストブックマーク生成部７０５は、ユーザにより入力部７００に入力される指令に基づいて、ダイジェストブックマークを生成する。具体的には、コンテンツ蓄積部７０４に記録されているコンテンツ、および計時部７０２により計時された時刻に基づいて、ダイジェストブックマークを生成する。生成されたダイジェストブックマークは、ダイジェストブックマーク蓄積部７０６に供給される。
【０２２１】
ダイジェストブックマーク蓄積部７０６は、ダイジェストブックマーク生成部７０５により生成されたダイジェストブックマークを記録する。要求受信部７０８は、例えば、ユーザ端末装置６５０からのダイジェストブックマークの要求を受信し、ダイジェストブックマーク送信部７０９は、この要求に基づいて、ダイジェストブックマーク蓄積部７０６に記録されているダイジェストブックマークを取得し、ネットワーク１３を介して、ユーザ端末装置６５０に送信する。なお、ユーザ端末装置６００は、ユーザ端末装置６５０からダイジェストブックマークの要求がなかったとしても、例えば、ユーザからの指令に基づいて、ユーザ端末装置６５０にダイジェストブックマークを送信する。
【０２２２】
要求部７１０は、ユーザの指令に基づいて、ユーザ端末装置６５０にダイジェストブックマークを要求する。ダイジェストブックマーク受信部７１１は、ユーザ端末装置６５０から供給されたダイジェストブックマークを受信し、ダイジェストブックマーク蓄積部７０６に記録させるとともに、ダイジェストコンテンツ生成部７１２に供給する。
【０２２３】
ダイジェストコンテンツ生成部７１２は、コンテンツ蓄積部７０４に記録されているコンテンツと、ダイジェストブックマーク蓄積部７０６に記録されているダイジェストブックマークに基づいて、ダイジェストコンテンツを生成する。映像音声出力部７０７は、生成されたダイジェストコンテンツを出力する。
【０２２４】
このように、ユーザ端末装置６００は、ダイジェストコンテンツを生成する機能に加え、ダイジェストブックマークを生成する機能を有する。なお、上述した図２および図３に示される名称と対応する名称のものは対応する機能を有している。
【０２２５】
なお、ユーザ端末装置６５０の構成は、図２６のユーザ端末装置６００と同一であるため、その説明は省略する。そして、以下においては、図２６は、ユーザ端末装置６５０の構成としても引用する。また、ユーザ端末装置６００とユーザ端末装置６５０を個々に区別する必要がない場合、単にユーザ端末装置６００と称する。
【０２２６】
また、ユーザ端末装置６００またはユーザ端末装置６５０におけるコンテンツ取得処理は、上述した図７のフローチャートに示される場合と同様であるので、その説明は省略する。
【０２２７】
ユーザ端末装置６００またはユーザ端末装置６５０によるダイジェストブックマークの生成は、上述したブックマーク端末装置１４と同様に、自動的に生成する（図８）ようにしてもよいし、ユーザの指令に基づいて生成する（図１１）ようにしてもよい。この２つの処理（ダイジェストブックマークが自動的に生成される処理、およびユーザの指令に基づいて、ダイジェストブックマークが生成される処理）は、上述した場合と同様であるので、その説明は省略する。
【０２２８】
次に、図２７と図２８を参照して、ユーザ端末装置６００が生成したダイジェストブックマークを、ユーザ端末装置６５０に送信する処理を説明する。最初に、図２７のフローチャートを参照して、ユーザ端末装置６５０におけるダイジェストブックマーク取得処理を説明する。この処理は、上述した図１２のフローチャートの処理とほぼ同様であるので、簡単に説明する。なお、この処理は、ユーザにより、ユーザ端末装置６００へのアクセスが指令されたとき開始される。
【０２２９】
ステップＳ７０１において、要求部７１０は、ユーザの指令に基づいて、ユーザ端末装置６００にアクセスする。これに対して、ユーザ端末装置６００は、ＨＴＭＬファイルを送信してくる（後述する図２８のステップＳ７５２）。そこで、ステップＳ７０２において、ダイジェストブックマーク受信部７１１は、ユーザ端末装置６００からＨＴＭＬファイルを取得し、映像音声出力部７０７は、ＨＴＭＬファイルに基づく画像をディスプレイに出力する。
【０２３０】
ステップＳ７０３において、入力部７００は、ユーザにより、ダイジェストブックマークが要求されたか否かを判定し、ダイジェストブックマークが要求されたと判定した場合、ステップＳ７０４において、要求部７１０は、ユーザ端末装置６００に、ダイジェストブックマーク（ユーザにより選択されたダイジェストブックマーク）を要求する。これに対して、ユーザ端末装置６００は、ダイジェストブックマークを送信してくる（図２８のステップＳ７５４）。
【０２３１】
そこで、ステップＳ７０５において、ダイジェストブックマーク受信部７１１は、ユーザ端末装置６００からダイジェストブックマークを受信し、ステップＳ２０６において、ダイジェストブックマーク蓄積部７０６は、ダイジェストブックマークを記録する。
【０２３２】
ステップＳ７０３において、ダイジェストブックマークが要求されていないと判定された場合、またはステップＳ７０６の後、処理は終了される。
【０２３３】
次に、図２８のフローチャートを参照して、図２７のユーザ端末装置６５０の処理に対応する、ユーザ端末装置６００におけるダイジェストブックマーク送信処理を説明する。なお、この処理は、ユーザ端末装置６５０によりアクセスされたとき開始される。
【０２３４】
ステップＳ７５１において、要求受信部７０８は、ユーザ端末装置６５０からのアクセス（図２７のステップＳ７０１）を受け付け、ステップＳ７５２において、ダイジェストブックマーク送信部７０９は、アクセスに基づくＨＴＭＬファイルを送信する。これに対して、ユーザ端末装置６０５は、ＨＴＭＬファイルに基づく画像を表示し、ユーザの指令に基づいて、ダイジェストブックマークを選択し、要求してくる（図２７のステップＳ７０４）。
【０２３５】
そこで、ステップＳ７５３において、要求受信部７０８は、ユーザ端末装置６０５から、ダイジェストブックマークが要求されたか否かを判定し、ダイジェストブックマークが要求されたと判定した場合、ステップＳ７５４において、ダイジェストブックマーク送信部７０９は、要求されたダイジェストブックマークをユーザ端末装置６５０に送信する。
【０２３６】
ステップＳ７５３において、ダイジェストブックマークが要求されていないと判定された場合、またはステップＳ７５４の処理の後、処理は終了される。
【０２３７】
図２７と図２８の処理により、ユーザ端末装置６５０はユーザ端末装置６００が生成したダイジェストブックマークを取得することができる。
【０２３８】
なお、いまの例の場合、ユーザ端末装置６５０の要求に基づいて、ユーザ端末装置６００がダイジェストブックマークを送信するようにしているが、ユーザ端末装置６００が自分で生成したダイジェストブックマークを、自分の方からユーザ端末装置６５０に、送信することもできる。その場合の処理の例を図２９と図３０を参照して説明する。
【０２３９】
最初に、図２９のフローチャートを参照して、ユーザ端末装置６００におけるダイジェストブックマーク送信処理を説明する。なお、この処理は、ユーザにより、ダイジェストブックマークを送信する指令が、入力部７００に入力されたとき開始される。
【０２４０】
ステップＳ８０１において、入力部７００は、ユーザからダイジェストブックマークを送信する指令を受け付ける。
【０２４１】
ステップＳ８０２において、ダイジェストブックマーク送信部７０９は、ユーザにより送信が指令されたダイジェストブックマークをダイジェストブックマーク蓄積部７０６から読み出し、ネットワーク１３を介して、ユーザ端末装置６５０に送信し、処理を終了する。
【０２４２】
次に、図３０のフローチャートを参照して、図２９のユーザ端末装置６００の処理に対応する、ユーザ端末装置６５０におけるダイジェストブックマーク受信処理を説明する。
【０２４３】
ステップＳ８５１において、ユーザ端末装置６５０のダイジェストブックマーク受信部７１１は、図２９のステップＳ８０２の処理により、ユーザ端末装置６００から送信されてきたダイジェストブックマークを受信する。
【０２４４】
ステップＳ８５２において、ダイジェストブックマーク蓄積部７０６は、受信したダイジェストブックマークを記録し、処理を終了する。
【０２４５】
このように、図２９および図３０の処理により、ユーザ端末装置６００のユーザは、自分で生成したダイジェストブックマークを、ユーザ端末装置６５０に送信することができる。
【０２４６】
このように、図２７および図２８、または、図２９または図３０の処理により、ユーザ端末装置６５０は、ユーザ端末装置６００からダイジェストブックマークを受信し、記録することができる。
【０２４７】
次に、図３１のフローチャートを参照して、ユーザ端末装置６００におけるダイジェストコンテンツ再生処理を説明する。なお、ユーザ端末装置６００のダイジェストブックマーク蓄積部７０６には、自分自身で生成したダイジェストブックマーク（図８または図１１の処理により生成したダイジェストブックマーク）の他、他のユーザ端末装置（例えば、ユーザ端末装置６５０）から取得したダイジェストブックマークが記録されている。この処理は、ユーザにより、ダイジェストコンテンツの再生が、入力部７００に指令されたとき開始される。
【０２４８】
ステップＳ９０１において、入力部７００は、ユーザから、ダイジェストコンテンツの再生の指令を受け付ける。
【０２４９】
ステップＳ９０２において、入力部７００は、ユーザから、再生するダイジェストコンテンツの基となる、ダイジェストブックマークの選択を受け付ける。例えば、ステップＳ９０１において、入力部７００は、ダイジェストコンテンツの再生の指令を受け付けると、映像音声出力部７０７は、ダイジェストブックマーク蓄積部７０６に記録されている複数のダイジェストブックマークに対応するインデックスを出力し、ユーザに、ダイジェストブックマークを選択するように促す。ユーザは、映像音声出力部７０７に表示された複数のダイジェストブックマークに対応するインデックスを参照して、再生したいダイジェストコンテンツに対応するダイジェストブックマークを選択する。入力部７００は、この選択を受け付ける。
【０２５０】
ステップＳ９０３において、ダイジェストコンテンツ生成部７１２は、ユーザにより選択されたダイジェストブックマークのチャンネルと同一のチャンネルのコンテンツが、コンテンツ蓄積部７０４に記録されているか否かを判定する。
【０２５１】
ステップＳ９０３において、ダイジェストブックマークのチャンネルと同一のチャンネルのコンテンツがコンテンツ蓄積部７０４に記録されていると判定された場合、ステップＳ９０４において、ダイジェストコンテンツ生成部７１２は、このダイジェストブックマークの時間（シーン開始時刻からシーン終了時刻までの時間）が、コンテンツの開始時刻と終了時刻に収まるか否かを判定する。
【０２５２】
ステップＳ９０４において、選択されたダイジェストブックマークの時間（シーン開始時刻からシーン終了時刻までの時間）が、コンテンツの開始時刻と終了時刻に収まると判定された場合、ステップＳ９０５において、ダイジェストコンテンツ生成部７１２は、一致するコンテンツを読み出す。
【０２５３】
ステップＳ９０６において、ダイジェストコンテンツ生成部７１２は、読み出したコンテンツ（ステップＳ９０５において読み出したコンテンツ）と、ステップＳ９０２の処理により選択されたダイジェストブックマークに基づいて、ダイジェストコンテンツを生成する。具体的には、ダイジェストコンテンツ生成部７１２は、ダイジェストブックマークを参照して、コンテンツそのものから、ダイジェストするコンテンツを読み出すことにより、ダイジェストコンテンツを生成する。
【０２５４】
ステップＳ９０７において、映像音声出力部７０７は、生成されたダイジェストコンテンツを再生（出力）する。
【０２５５】
ステップＳ９０３において、選択されたダイジェストブックマークのチャンネルと同一のチャンネルのコンテンツがコンテンツ蓄積部７０４に記録されていないと判定された場合、またはステップＳ９０４において、選択されたダイジェストブックマークの時間が、コンテンツの開始時刻と終了時刻に収まらないと判定された場合、処理はステップＳ９０８に進み、映像音声出力部７０７は、一致するコンテンツがないことを示すメッセージの画像を出力する。
【０２５６】
ステップＳ９０７の処理の後、またはステップＳ９０８の処理の後、処理は終了される。
【０２５７】
このように、図３１の処理により、ユーザ端末装置６００において、ダイジェストコンテンツを再生することができる。ユーザ端末装置６００は、コンテンツホルダ１１（いまの例の場合、放送局３２）から取得したコンテンツと、自分自身で生成したダイジェストブックマーク、または、他のユーザ端末装置（ユーザ端末装置６５０）から取得したダイジェストブックマークを組み合わせることにより、ダイジェストコンテンツを再生することが可能となる。
【０２５８】
これにより、ユーザ端末装置６００は、ユーザ端末装置６５０により生成された、ユーザ端末装置６５０が勧めるダイジェストコンテンツを、再生することができる。
【０２５９】
例えば、ユーザ端末装置６００のユーザは、好みのコンテンツのダイジェストブックマークを生成し、ユーザ端末装置６５０に同じダイジェストコンテンツを視聴させることができる。
【０２６０】
また、例えば、ユーザ端末装置６００とユーザ端末装置６５０を、インスタントメッセンジャー等のＰ２Ｐで情報を授受するソフトウエアを用いて、ネットワーク１３を介して相互に接続させることにより、例えば、ユーザ端末装置６００のユーザが、ユーザ端末装置６５０（のユーザ）がオンラインである（ネットワーク１３に接続されている）か否かを知ることができる。
【０２６１】
さらに、ユーザ端末装置６００と同じコンテンツを、他のユーザ端末装置６５０が所有していた場合、そのコンテンツのサムネイルを表示させることも可能である。これにより、ユーザ端末装置６００のユーザは、無駄なダイジェストブックマーク（同じコンテンツを持っていないと、ダイジェストブックマークを受信したとしても、ダイジェストコンテンツは再生できないため無駄となる）を送信するのを防ぐことができる。
【０２６２】
また、ユーザ端末装置６００のユーザは、コンテンツのダイジェストを容易に視聴することができる。
【０２６３】
なお、以上の例は、ユーザ端末装置６００が、ネットワーク１３を介して、直接ユーザ端末装置６５０とダイジェストブックマークを授受するようにしたが、図１９に示した場合と同様に、ポータルサイトを介して、取得するようにしてもよい。
【０２６４】
また、ブックマーク端末装置１４がユーセージルール書き込み部１０９を備えるようにしたが、ダイジェストブックマークを生成し、送信する全ての情報処理装置（例えば、ユーザ端末装置１５、ユーザ端末装置６００、およびユーザ端末装置６５０）に、ユーセージルール書き込み部を設けるようにしてもよい。ユーセージルール書き込み部が設けられた場合、上述した図１６や図１８に示されるユーセージルールに基づく処理が行なわれる。
【０２６５】
なお、以上の例では、コンテンツホルダ１１がコンテンツを提供するようにしたが、コンテンツホルダ１１は、コンテンツ提供装置としてもよい。
【０２６６】
また、ダイジェストブックマークを生成する装置を、ブックマーク端末装置としたが、ダイジェストブックマークを生成する生成装置であれば、何でもよい。
【０２６７】
さらに、ダイジェストブックマークとコンテンツに基づいて、ダイジェストコンテンツを再生する装置をユーザ端末装置１５としたが、これに限らず、ダイジェストブックマークとコンテンツに基づいて、ダイジェストコンテンツを再生できる情報処理装置であれば何でもよい。
【０２６８】
なお、以上の例では、ユーザ端末装置を１台または２台しか設けるようにしていないが、これに限らず、より多くの複数のユーザ端末装置を設けるようにしてもよい。
【０２６９】
また、以上の例では、ブックマーク端末装置を１台しか設けるようにしていないが、複数台設けるようにしてもよい。
【０２７０】
さらに、以上に記載したユーザ端末装置は、ハードディスクレコーダ、その他の情報を処理する情報処理装置とすることができる。
【０２７１】
上述した一連の処理は、ハードウエアにより実行させることもできるし、ソフトウエアにより実行させることもできる。この場合、上述した処理は、図３２に示されるようなパーソナルコンピュータ８００により実行される。
【０２７２】
図３２において、ＣＰＵ（Ｃｅｎｔｒａｌ  Ｐｒｏｃｅｓｓｉｎｇ  Ｕｎｉｔ）８０１は、ＲＯＭ（Ｒｅａｄ  Ｏｎｌｙ  Ｍｅｍｏｒｙ）８０２に記憶されているプログラム、または、記憶部８０８からＲＡＭ（Ｒａｎｄｏｍ  Ａｃｃｅｓｓ  Ｍｅｍｏｒｙ）８０３にロードされたプログラムに従って各種の処理を実行する。ＲＡＭ８０３にはまた、ＣＰＵ８０１が各種の処理を実行する上において必要なデータなどが適宜記憶される。
【０２７３】
ＣＰＵ８０１、ＲＯＭ８０２、およびＲＡＭ８０３は、内部バス８０４を介して相互に接続されている。この内部バス８０４にはまた、入出力インターフェース８０５も接続されている。
【０２７４】
入出力インターフェース８０５には、キーボード、マウスなどよりなる入力部８０６、ＣＲＴ，ＬＣＤ（Ｌｉｑｕｉｄ  Ｃｒｙｓｔａｌ  Ｄｉｓｐｌａｙ）などよりなるディスプレイ、並びにスピーカなどよりなる出力部８０７、ハードディスクなどより構成される記憶部８０８、モデム、ターミナルアダプタなどより構成される通信部８０９が接続されている。通信部８０９は、電話回線やＣＡＴＶを含む各種のネットワークを介しての通信処理を行なう。
【０２７５】
入出力インターフェース８０５にはまた、必要に応じてドライブ８１０が接続され、磁気ディスク、光ディスク、光磁気ディスク、あるいは半導体メモリなどによりなるリムーバブルメディア８２１が適宜装着され、それから読み出されたコンピュータプログラムが、必要に応じて記憶部８０８にインストールされる。
【０２７６】
一連の処理をソフトウエアにより実行させる場合には、そのソフトウエアを構成するプログラムが、ネットワークや記録媒体からインストールされる。
【０２７７】
この記録媒体は、図３２に示されるように、コンピュータとは別に、ユーザにプログラムを提供するために配布される、プログラムが記録されているリムーバブルメディア８２１よりなるパッケージメディアにより構成されるだけでなく、装置本体に予め組み込まれた状態でユーザに提供される、プログラムが記録されているＲＯＭ８０２や記憶部８０８が含まれるハードディスクなどで構成される。
【０２７８】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【０２７９】
また、本明細書において、システムとは、複数の装置により構成される装置全体を表わすものである。
【０２８０】
【発明の効果】
以上の如く、第１の本発明によれば、ダイジェストブックマークを配信するシステムを実現することができる。特に、この発明によれば、生成装置でダイジェストブックマークを生成することができる。また、生成装置がネットワークを介して、情報処理装置にダイジェストブックマークを送信することができる。さらに、情報処理装置は、ダイジェストブックマークとコンテンツに基づいて、ダイジェストコンテンツを再生することができる。また、コンテンツのダイジェストを容易に視聴することができる。
【０２８１】
第２の本発明によれば、コンテンツのダイジェストブックマークを多くのユーザに提供することができる。特に、この発明によれば、コンテンツを異なる視点から視聴する場合におけるユーザの負担を軽減することができる。
【０２８２】
第３の本発明によれば、コンテンツを異なる視点から再生することができる。特に、この発明によれば、異なる視点からのコンテンツを容易に視聴することができる。
【０２８３】
第４の本発明によれば、ダイジェストブックマークを提供することができる。特に、この発明によれば、情報処理装置を介してダイジェストブックマークを提供することができる。
【図面の簡単な説明】
【図１】本発明を適用した情報処理システムの構成例を示す図である。
【図２】図１のブックマーク端末装置の機能的構成を示すブロック図である。
【図３】図１のユーザ端末装置の機能的構成を示すブロック図である。
【図４】図２のブックマーク端末装置と図３のユーザ端末装置の情報の授受を説明する図である。
【図５】図２のブックマーク端末装置におけるコンテンツ取得処理を説明するフローチャートである。
【図６】図５のステップＳ５の処理により記録されるコンテンツを説明する図である。
【図７】図３のユーザ端末装置におけるコンテンツ取得処理を説明するフローチャートである。
【図８】図２のブックマーク端末装置におけるダイジェストブックマーク自動生成処理を説明するフローチャートである。
【図９】図８のステップＳ１０４の処理により記録されたダイジェストブックマークを説明する図である。
【図１０】図２のブックマーク端末装置を操作するコントローラを説明する図である。
【図１１】図２のブックマーク端末装置におけるダイジェストブックマーク自動生成処理を説明するフローチャートである。
【図１２】図３のユーザ端末装置におけるダイジェストブックマーク取得処理を説明するフローチャートである。
【図１３】図１２のステップＳ２０２の処理による表示例を示す図である。
【図１４】図１２のステップＳ２０４の処理により送信されるＨＴＴＰメッセージの例を示す図である。
【図１５】図１２のステップＳ２０５の処理により受信されるＨＴＴＰメッセージの例を示す図である。
【図１６】図２のブックマーク端末装置におけるダイジェストブックマーク送信処理を説明するフローチャートである。
【図１７】ブックマーク端末装置とユーザ端末装置の間の情報の授受を説明する図である。
【図１８】図３のユーザ端末装置におけるダイジェストコンテンツ再生処理を説明する図である。
【図１９】本発明を適用した他の情報処理システムの構成例を示す図である。
【図２０】図１９のブックマーク端末装置におけるダイジェストブックマーク送信処理を説明するフローチャートである。
【図２１】図１９のポータルサイトにおけるダイジェストブックマーク転送処理を説明するフローチャートである。
【図２２】図１９のユーザ端末装置におけるダイジェストブックマーク取得処理を説明するフローチャートである。
【図２３】図１９のポータルサイトにおけるダイジェストブックマーク送信処理を説明するフローチャートである。
【図２４】図１９のブックマーク端末装置、ポータルサイト、およびユーザ端末装置の間の情報の授受を説明する図である。
【図２５】本発明を適用した他の情報処理システムの構成例を示す図である。
【図２６】図２５のユーザ端末装置の機能的構成を示すブロック図である。
【図２７】図２６のユーザ端末装置におけるダイジェストブックマーク取得処理を説明するフローチャートである。
【図２８】図２６のユーザ端末装置におけるダイジェストブックマーク送信処理を説明するフローチャートである。
【図２９】図２６のユーザ端末装置におけるダイジェストブックマーク送信処理を説明するフローチャートである。
【図３０】図２６のユーザ端末装置におけるダイジェストブックマーク受信処理を説明するフローチャートである。
【図３１】図２６のユーザ端末装置におけるダイジェストコンテンツ再生処理を説明するフローチャートである。
【図３２】本発明を適用したパーソナルコンピュータの構成例を示すブロック図である。
【符号の説明】
１  コンテンツホルダ，  １３  ネットワーク，  １４  ブックマーク端末装置，  １５  ユーザ端末装置，  １０３  メタデータ生成部，  １０４  コンテンツ蓄積部，  １０５  ダイジェストブックマーク生成部，  １０６  ダイジェストブックマーク蓄積部，  １０９  ユーセージルール書き込み部，  １５３  メタデータ生成部，  １５４  コンテンツ蓄積部，  １５６  ダイジェストコンテンツ生成部，  １５８  ダイジェストブックマーク蓄積部，  ５００  ポータルサイト，  ７０４  コンテンツ蓄積部，  ７０５  ダイジェストブックマーク生成部，  ７０６  ダイジェストブックマーク蓄積部，  ７１２  ダイジェストコンテンツ生成部
【図１】
2004274287.tif 000003
【図２】
2004274287.tif 000004
【図３】
2004274287.tif 000005
【図４】
2004274287.tif 000006
【図５】
2004274287.tif 000007
【図６】
2004274287.tif 000008
【図７】
2004274287.tif 000009
【図８】
2004274287.tif 000010
【図９】
2004274287.tif 000011
【図１０】
2004274287.tif 000012
【図１１】
2004274287.tif 000013
【図１２】
2004274287.tif 000014
【図１３】
2004274287.tif 000015
【図１４】
2004274287.tif 000016
【図１５】
2004274287.tif 000017
【図１６】
2004274287.tif 000018
【図１７】
2004274287.tif 000019
【図１８】
2004274287.tif 000020
【図１９】
2004274287.tif 000021
【図２０】
2004274287.tif 000022
【図２１】
2004274287.tif 000023
【図２２】
2004274287.tif 000024
【図２３】
2004274287.tif 000025
【図２４】
2004274287.tif 000026
【図２５】
2004274287.tif 000027
【図２６】
2004274287.tif 000028
【図２７】
2004274287.tif 000029
【図２８】
2004274287.tif 000030
【図２９】
2004274287.tif 000031
【図３０】
2004274287.tif 000032
【図３１】
2004274287.tif 000033
【図３２】
2004274287.tif 000034